(57)【要約】      （修正有）【課題】図柄表示装置の視認性低下を防止しつつ、枠状装飾体に形成した球通路を転動する遊技球の残留を防止する。【解決手段】遊技領域を流下するパチンコ球が入賞可能な特別入賞装置と、該特別入賞装置に入賞したパチンコ球が転動する球案内通路９４と、球案内通路９４の下流端側に設けられて球回収部に連通し、球案内通路９４を転動したパチンコ球が流入可能な第１の球回収通路と、球案内通路９４と図柄表示装置との間に揺動可能に配設され、回転軸から一方側へ傾倒した第１位置および回転軸から他方側へ傾倒した第２位置の間を移動する可動部材７０と、第１位置にある可動部材７０の前側に設けられ、球回収部に連通する第２の球回収通路ＲＢ２と、球案内通路９４と図柄表示装置との間に設けられて球回収部に連通し、第２位置にある可動部材７０が収容される第３の球回収通路ＲＢ３とを備えた。【選択図】図２２
2011015759.tif 000002
【特許請求の範囲】
【請求項１】
遊技球が流下可能な遊技領域を画成した遊技盤に、前後に開口する枠状装飾体が設けられると共に、該遊技盤の裏側に、図柄を変動表示可能な図柄表示装置が配設されて、該図柄表示装置が枠状装飾体の開口部を介して後方から臨み、機裏側には遊技盤に打ち出された遊技球を回収する球回収部が設けられた遊技機において、
前記枠状装飾体に設けられ、前記図柄表示装置での図柄の変動結果に応じて入賞口が開放して前記遊技領域を流下する遊技球が入賞可能な入賞装置と、
前記枠状装飾体の開口内に設けられて前記入賞装置に連通し、該入賞装置に入賞した遊技球が前側から視認可能な状態で転動する球案内通路と、
前記球案内通路における前記入賞装置から離間した下流端側に設けられて前記球回収部に連通し、球案内通路を転動した遊技球が球通入口を介して流入可能な第１の球回収通路と、
前記球案内通路と図柄表示装置との間に揺動可能に配設され、回転軸から一方側へ傾倒した第１位置および回転軸から他方側へ傾倒した第２位置の間を移動する可動部材と、
前記球案内通路と図柄表示装置との間に設けられると共に、該球案内通路に対して壁部により区画され、前記第１位置にある前記可動部材側に到来した遊技球を前記球回収部に案内する第２の球回収通路と、
前記球案内通路と図柄表示装置との間に設けられて前記第２位置にある前記可動部材が収容されると共に、該球案内通路に対して壁部により区画され、該第２位置にある可動部材側に到来した遊技球を前記球回収部に案内する第３の球回収通路とを備え、
前記球案内通路から遊技球が可動部材側に移動した際には、前記第２の球回収通路および第３の球回収通路を介して遊技球を前記球回収部に案内するよう構成された
ことを特徴とする遊技機。
【請求項２】
前記第１の球回収通路は、前記球案内通路の下流端部から離間するよう設けられて、該第１の球回収通路と球案内通路の下流端部との間に、第１の球回収通路の球通入口を開閉可能な別の可動体を有する演出装置が配設されると共に、前記球案内通路に対して経路途中から分岐するよう接続する球排出通路が形成され、
前記球案内通路において前記入賞装置から球排出通路との分岐位置までの領域と前記図柄表示装置との間に前記第２の球回収通路が設けられ、該球排出通路と図柄表示装置との間に前記第３の球回収通路が設けられた請求項１記載の遊技機。
【請求項３】
前記第１の球回収通路には、該第１の球回収通路の球通入口を通過した遊技球を検出可能な球検出手段が設けられて、前記球排出通路、第２の球回収通路および第３の球回収通路の夫々が、前記球検出手段による遊技球の検出位置よりも下流側で第１の球回収通路に接続するよう構成された請求項２記載の遊技機。
【請求項４】
前記遊技盤は、前記遊技領域が画成された透明板と、該透明板の裏側に設けられて前記図柄表示装置が配設される裏部材とから構成され、
前記透明板に前記枠状装飾体が設けられて前記球案内通路が形成されると共に、前記裏部材に前記可動部材が配設されて、前記第２の球回収通路の側端部には、前記透明板と裏部材との間への遊技球の進入を規制する規制部が設けられている請求項２または３記載の遊技機。
【請求項５】
前記演出装置における別の可動体の下方には、前記第１の球回収通路に連通する第４の球回収通路が形成された請求項２〜４の何れか一項に記載の遊技機。
【発明の詳細な説明】
【技術分野】
【０００１】
本発明は、遊技盤に設けられた遊技領域を遊技球が流下することで遊技が行なわれる遊技機に関するものである。
【背景技術】
【０００２】
パチンコ機やアレンジボール機等の遊技機では、機内にセットされる遊技盤の盤面に画成した遊技領域の略中央位置に枠状装飾体が配設されており、この枠状装飾体の開口部を介して複数の図柄を変動表示して図柄変動演出を行なう液晶式やドラム式等の図柄表示装置を後方から臨ませると共に、該遊技盤における枠状装飾体の下方位置に、パチンコ球(遊技球)の入賞により図柄表示装置での変動を開始させる始動入賞装置を配設するよう構成したものが多数提案されている。すなわち、この種の遊技機では、前記遊技領域に打ち出されたパチンコ球が前記始動入賞装置に入賞することにより、前記図柄表示装置で図柄変動演出に伴うリーチ演出等の各種の遊技演出がなされ、該図柄表示装置に図柄が所定の組合わせで停止すると、遊技者に有利な所謂大当りが発生するようになっている。
【０００３】
このように、大当りが発生するためには、前記始動入賞装置へのパチンコ球の入賞が必要とされることから、遊技者は、前記図柄表示装置での図柄変動演出と同様に、始動入賞装置へのパチンコ球の入賞にも大きな関心を持って遊技を楽しんでいる。そこで、前記枠状装飾体にパチンコ球が左右方向に転動可能な球通路を前側から視認可能に設けて、遊技領域を流下するパチンコ球を球通路に受け入れて、該球通路上で転動させた後に遊技領域へ排出させることで、パチンコ球の動きに対する遊技者の興味を高めるよう構成されたパチンコ機も多数提案されている。
【０００４】
例えば、特許文献１には、前記枠状装飾体に、パチンコ球が転動する転動面が上下に起伏する波状に湾曲したステージ(球通路)が形成されている。このステージには、左右方向中央に位置する上方に盛り上がった隆起状部分に後方へ向けて傾斜した第１傾斜部が形成されると共に、該隆起状部分の左右両側に位置する窪み状部分に、前方へ傾斜した第２傾斜部が形成されている。前記第１傾斜部は、前記始動入賞装置の直上方で開口する球通路に連通すると共に、前記第２傾斜部は、始動入賞装置の左右側方に位置するよう形成され、該第１傾斜部から球通路に移動したパチンコ球は始動入賞装置に高確率で入賞する一方、第２傾斜部から排出されたパチンコ球は始動入賞装置に入賞し難くなるよう構成されている。
【先行技術文献】
【特許文献】
【０００５】
【特許文献１】特開２００７−５４１４０号公報
【発明の概要】
【発明が解決しようとする課題】
【０００６】
ところで、近年では、前記枠状装飾体に所要動作を行なう可動部材を設けて、前記図柄表示装置での図柄変動演出に合わせて可動部材を動作させることにより演出効果を向上させるよう構成されたパチンコ機が多数提案されている。例えば、前述した特許文献１には、前記枠状装飾体の上方位置に大型の可動部材が配設されている。しかしながら、特許文献１のように、ステージの形成位置と可動部材の配設位置とが離れていると、遊技者の注意が分散され、ステージを形成したことによる効果と可動部材を配設したことによる効果が夫々低下してしまう欠点が指摘される。すなわち、可動部材に遊技者の注意が惹き付けられている場合には、ステージ上を転動するパチンコ球に対する遊技者の注意が薄れてしまい、反対に、ステージ上を転動しているパチンコ球に遊技者の注意が惹き付けられている場合には、可動部材に対する遊技者の注意が薄れる。このため、ステージ上を転動するパチンコ球の動きと、可動部材の動きとの相乗的な演出効果はあまり期待し得ないものとなっていた。
【０００７】
また、ステージ上を転動するパチンコ球と可動部材とを近接させることで、パチンコ球の動きと可動部材の動きとの相乗的な演出効果を期待し得るものの、パチンコ球がステージから外れて可動部材の可動領域に進入すると、パチンコ球がそのまま滞留して見栄えが低下するばかりでなく、可動部材の動作不良を招来することにも繋がるため、ステージと可動体との間に透明な仕切り部材が配設されている。しかしながら、図柄表示装置に重なるよう仕切り部材が位置するため、パチンコ球の接触等により生じた擦り傷や汚れの付着等により仕切り部材の透明度が低下し、図柄表示装置の視認性が低下に繋がっていた。
【０００８】
すなわち本発明は、従来の技術に係る遊技機に内在する前記課題に鑑み、これを好適に解決するべく提案されたものであって、枠状装飾体に形成した球通路を転動する遊技球の滞留を防止すると共に、図柄表示装置の視認性低下を防止可能な遊技機を提供することを目的とする。
【課題を解決するための手段】
【０００９】
前記課題を克服し、所期の目的を達成するため、本願の請求項１に係る遊技機は、
遊技球が流下可能な遊技領域(23)を画成した遊技盤(20)に、前後に開口する枠状装飾体(90)が設けられると共に、該遊技盤(20)の裏側に、図柄を変動表示可能な図柄表示装置(17)が配設されて、該図柄表示装置(17)が枠状装飾体(90)の開口部を介して後方から臨み、機裏側には遊技盤(20)に打ち出された遊技球を回収する球回収部が設けられた遊技機において、
前記枠状装飾体(90)に設けられ、前記図柄表示装置(17)での図柄の変動結果に応じて入賞口(93a)が開放して前記遊技領域(23)を流下する遊技球が入賞可能な入賞装置(93)と、
前記枠状装飾体(90)の開口内縁に設けられて前記入賞装置(93)に連通し、該入賞装置(93)に入賞した遊技球が前側から視認可能な状態で転動する球案内通路(94)と、
前記球案内通路(94)における前記入賞装置(93)から離間した下流端側に設けられて前記球回収部に連通し、球通入口(102a)を介して球案内通路(94)を転動した遊技球が流入可能な第１の球回収通路(RA)と、
前記球案内通路(94)と図柄表示装置(17)との間に揺動可能に配設され、回転軸から一方側へ傾倒した第１位置および回転軸から他方側へ傾倒した第２位置の間を移動する可動部材(70)と、
前記球案内通路(94)と図柄表示装置(17)との間に設けられると共に、該球案内通路(94)に対して壁部(95a)により区画され、前記第１位置にある前記可動部材(70側に到来した遊技球を前記球回収部に案内する第２の球回収通路(RB2)と、
前記球案内通路(94)と図柄表示装置(17)との間に設けられて前記第２位置にある前記可動部材(70)が収容されると共に、該球案内通路(94)に対して壁部(95a,98b)により区画され、該第２位置にある可動部材(70)側に到来した遊技球を前記球回収部に案内する第３の球回収通路(RB3)とを備え、
前記球案内通路(94)から遊技球が可動部材(70)側に移動した際には、前記第２の球回収通路(RB2)および第３の球回収通路(RB3)を介して遊技球を前記球回収部に案内するよう構成されたことを要旨とする。
【００１０】
このように、入賞装置に入賞した遊技球が通過する球案内通路を枠状装飾体の開口内縁に形成すると共に、該球案内通路と図柄表示装置との間に可動部材を配設したことで、球案内通路上を転動する遊技球の動きに遊技者の注意を惹き付けつつ、可動部材の動きに対しても遊技者の注意を惹き付けることができる。球案内通路を転動する遊技球が可動部材側に零れたとしても、第２の球回収通路および第３の球回収通路を介して遊技球を球回収部に回収できるから、可動部材の配設領域に遊技球が滞るのを防止できる。また、可動部材の配設領域と球案内通路とを区画する仕切り部材を設ける必要がないから、図柄表示装置の視認性低下を防止できる。
【００１１】
請求項２に係る遊技機は、前記第１の球回収通路(RA)は、前記球案内通路(94)の下流端部から離間するよう設けられて、該第１の球回収通路(RA)と球案内通路(94)の下流端部との間に、第１の球回収通路(RA)の球通入口(102a)を開閉可能な別の可動体(120)を有する演出装置(110)が配設されると共に、前記球案内通路(94)に対して経路途中から分岐するよう接続する球排出通路(RB1)が形成され、
前記球案内通路(94)において前記入賞装置(93)から球排出通路(RB1)との分岐位置までの領域と前記図柄表示装置(17)との間に前記第２の球回収通路(RB2)が設けられ、該球排出通路(RB1)と図柄表示装置(17)との間に前記第３の球回収通路(RB３)が設けられたことを要旨とする。
このように、入賞装置に入賞した遊技球が通過する球案内通路を枠状装飾体の開口内縁に形成すると共に、該球案内通路の下流端部に、当該球案内通路を転動した遊技球が通過可能な球通入口を備えた第１の球回収通路を設けたことで、入賞装置に入賞した遊技球を利用した演出が可能となる。このとき、前記球案内通路や演出装置が、図柄表示装置が臨む枠状装飾体の開口内縁に位置することになるから、図柄表示装置で行なわれる演出や球案内通路を転動する遊技球の動き、演出装置における別の可動体の動作を、視線を大きく移動することなく視界に捉えることができる。また、図柄表示装置が臨む枠状装飾体に入賞装置を配設することで、入賞装置への遊技球の入賞状況を直接目視する際の視線移動も少なくできる。そして、前記演出装置に接触して弾かれた遊技球が可動部材側に移動したとしても、第２の球回収通路や第３の球回収通路を介して遊技球を排出できるから、可動部材の動作領域に遊技球が滞るのを防止できる。
【００１２】
請求項３に係る遊技機は、前記第１の球回収通路(RA)には、該第１の球回収通路(RA)の球通入口(102a)を通過した遊技球を検出可能な球検出手段(106)が設けられて、前記球排出通路(RB1)、第２の球回収通路(RB2)および第３の球回収通路(RB３)の夫々が、前記球検出手段(106)による遊技球の検出位置よりも下流側で第１の球回収通路(RA)に接続するよう構成されたことを要旨とする。
このように、球通入口を介して球回収通路に流入した遊技球を球検出手段で検出するよう構成したことで、球通入口を通過して第１の球回収通路に流入した遊技球と、球排出通路や第２および第３の球回収通路を介して排出された遊技球とを区別可能になる。これにより、可動体が開放したタイミングで演出装置まで到達した遊技球が球通入口を通過して第１の球回収通路を流下した場合に限った遊技演出(例えば効果音や図柄表示装置における表示)を行なうことができ、球案内通路を転動する遊技球や可動体の開閉動作に対する注意を高め、遊技の興趣の向上を図り得る。
【００１３】
請求項４に係る遊技機は、前記遊技盤(20)は、前記遊技領域(23)が画成された透明板(21)と、該透明板(21)の裏側に設けられて前記図柄表示装置(17)が配設される裏部材(35)とから構成され、
前記透明板(21)に前記枠状装飾体(90)が設けられて前記球案内通路(94)が形成されると共に、前記裏部材(35)に前記可動部材(70)が配設されて、前記第２の球回収通路(RB2)の側端部には、前記透明板(21)と裏部材(35)との間への遊技球の進入を規制する規制部(92a)が設けられていることを要旨とする。
このように、規制部を形成することで、第２の球回収通路に流入した遊技球が、透明板と裏部材との間に進入するのを防止でき、該第２の球回収通路に流入した遊技球を球回収部に確実に排出することができる。
【００１４】
請求項５に係る遊技機は、前記演出装置(110)における別の可動体(120)の下方には、前記第１の球回収通路(RA)に連通する第４の球回収通路(RB4)が形成されたことを要旨とする。
これにより、第１の球回収通路の球通入口を別の可動体が閉鎖している状態で球案内通路を転動した遊技球が、別の可動体の下方位置に滞るのを防止できる。
【発明の効果】
【００１５】
本発明に係る遊技機によれば、図柄表示装置の視認性を低下させることなく枠状装飾体に形成した球通路を転動した遊技球の残留を効率的に阻止し得る。
【図面の簡単な説明】
【００１６】
【図１】本発明の実施例に係るパチンコ機を示す正面図である。
【図２】実施例に係るパチンコ機の遊技盤を示す正面図である。
【図３】実施例に係る遊技盤の分解斜視図である。
【図４】実施例に係る遊技盤の裏ユニットを示す正面図であって、可動演出装置、球排出装置および装飾部材の一部を取り付けた状態で示す。
【図５】実施例に係る可動演出装置を示す正面図であって、可動部材が初期位置にある状態を実線で示し、可動部材が可動位置にある状態を２点鎖線で示す。
【図６】実施例に係る可動演出装置の分解斜視図である。
【図７】実施例に係る区画部材を示す斜視図であって、(a)は正面側から視た状態を示し、(b)は背面側から視た状態を示す。
【図８】実施例に係る可動演出装置を、可動部材を取り外した状態で示す正面図である。
【図９】実施例に係る可動演出装置の可動部材の動作を示す背面図であって、(a)は可動部材が初期位置にある状態を示し、(b)は可動部材が可動位置にある状態を示す。
【図１０】実施例に係る可動部材と、第１および第２反射部材と、透明部材との関係を正面側から視た状態で示す分解斜視図である。
【図１１】実施例に係る可動部材と、第１および第２反射部材と、透明部材との関係を背面側から視た状態で示す分解斜視図である。
【図１２】(a)は、可動部材の正面図であり、(b)は、可動部材に第１反射部材を取り付けた状態で示す背面図であって、(c)は、(a)に示すＡ−Ａ線断面図である。
【図１３】実施例に係る可動部材と、第１および第２反射部材と、透明部材とを分解して示す断面図である。
【図１４】実施例に係る第２可動部材を拡大して示す断面図である。
【図１５】実施例に係る第１反射面と第１のＬＥＤとの関係を、可動部材の回転位置の関係で示す要部拡大図であって、可動部材が初期位置にある状態を２点鎖線で示す。
【図１６】実施例に係る第１反射面と第１のＬＥＤとの関係を、可動部材の回転位置の関係で示す要部拡大図であって、可動部材が可動位置にある状態を２点鎖線で示す。
【図１７】実施例に係る第１反射面と第１のＬＥＤとの関係を、可動部材の回転位置の関係で示す要部拡大図であって、可動部材が初期位置と可動位置との中間位置にある状態を２点鎖線で示す。
【図１８】実施例に係る第１反射面と第１のＬＥＤとの関係を、可動部材の回転位置の関係で示す要部拡大図であって、第１反射面が仕切り壁と前後に重なる位置に可動部材が回転した状態を２点鎖線で示す。
【図１９】実施例に係る可動部材が初期位置と可動位置との中間位置にある状態で縦断した要部拡大断面図である。
【図２０】実施例に係る枠状装飾体の正面図である。
【図２１】実施例に係る枠状装飾体を正面側から視た状態で示す斜視図である。
【図２２】(a)は実施例に係る枠状装飾体における球案内通路の排出球演出領域を示す平面図であって、(b)は(a)に示した球案内通路と、可動演出装置と、第１および第２の装飾部材との関係を概略で示す平面図である。
【図２３】実施例に係る枠状装飾体の球案内通路と排出球演出装置との関係を示す要部拡大斜視図であって、該球案内通路の下流端部から放出されたパチンコ球が排出球演出装置の球通過口を介して球回収通路を流下する状態を表す。
【図２４】実施例に係る枠状装飾体の球案内通路と排出球演出装置との関係を示す要部拡大斜視図であって、該球案内通路の下流端部から放出されたパチンコ球が排出球演出装置の第１の可動体に接触して跳ね返される様子を表す。
【図２５】実施例に係る裏ユニットに枠状装飾体のみを重ねた状態を示す要部拡大正面図であって、球案内通路の下流端部から放出されたパチンコ球が球回収通路および第１の球排出通路を介して排出される様子を表す。
【図２６】実施例に係る排出球演出装置を通路形成部材に組み付けた状態を示す斜視図である。
【図２７】実施例に係る排出球演出装置の分解斜視図である。
【図２８】実施例に係る排出球演出装置の要部を示す分解斜視図である。
【図２９】実施例に係る排出球演出装置の動作を示す説明図であって、(a)は第１の可動体が閉鎖位置にある状態を示し、(b)は第１の可動体が開放位置にある状態を示す。
【図３０】実施例に係る排出球演出装置を組み付けた通路形成部材を裏ユニットに取り付けると共に、該通路形成部材を縦断した状態を示す斜視図である。
【図３１】実施例に係る排出球演出装置の第１の可動体の動作を示す説明図であって、(a)は作動部材が原位置に位置すると共に第１の可動体が閉鎖位置に位置する状態を示し、(b)は作動部材の回転に伴って第１の可動体が開放位置に変位した状態を示し、(c)は作動部材が原位置に位置した状態で第１の可動体に作用した外力により第１の可動体が揺動する状態を示す。
【図３２】実施例に係る通路形成部材を示す正面図である。
【図３３】実施例に係る排出球演出装置と、通路形成部材と、第２の装飾部材との関係を示す正面図である。
【図３４】実施例に係る第１の装飾部材および第２の装飾部材を示す斜視図である。
【図３５】実施例に係る第１の装飾部材および第２の装飾部材を示す背面図である。
【図３６】実施例に係る可動演出装置と、第１の装飾部材に形成される湾曲面部と、第２の装飾部材に設けられる第３の球通路および傾斜案内片との関係を正面から視た状態で示す説明図である。
【図３７】実施例に係る可動演出装置と、第１の装飾部材に形成される湾曲面部と、第２の装飾部材に設けられる第３の球通路と、枠状装飾体の球誘導路との関係を示す斜視図である。
【図３８】実施例に係る第２の装飾部材と通路部材とを分解した状態で示す斜視図である。
【図３９】実施例に係る第２の装飾部材を正面側から視た状態で示す斜視図である。
【図４０】変更例に係る可動部材が初期位置と可動位置との中間位置にある状態で縦断した要部拡大断面図である。
【図４１】変更例に係る可動部材が初期位置と可動位置との中間位置にある状態で縦断した要部拡大断面図である。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行なうパチンコ機１０を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１８】
(パチンコ機について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２または図３参照)を着脱可能に保持する本体枠としての中枠１２が開閉および着脱可能に組み付けられて、該遊技盤２０の裏側に対して、各種図柄を変動表示可能な図柄表示装置１７が着脱可能に配設されている。また、前記中枠１２の前面側には、前記遊技盤２０を透視保護するガラス板(図示せず)を備えた装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。ここで、前記上球受け皿１４は、前記前枠１３と別体に形成して中枠１２に対して開閉可能に組み付けるようにしてもよい。
【００１９】
(遊技盤２０について)
前記中枠１２の遊技盤保持部に配設される前記遊技盤２０は、図２〜図３に示すように、アクリルやポリカーボネート等の光透過性の合成樹脂材からなる平板状の透明板２１と、該透明板２１の後面に組み付けられると共に裏側に前記図柄表示装置１７が着脱可能に配設される不透明な合成樹脂材で形成された裏ユニット３５とから構成され、該裏ユニット３５に形成された前後に開口する開口部３５ａ(図３または図４参照)を介して図柄表示装置１７を前面側から視認し得るよう構成されている。ここで、裏ユニット３５に形成される開口部３５ａは、該裏ユニット３５の上下および左右幅の大部分が開口する大型の開口であって、該開口部３５ａの周囲に、各種の装飾部材１５０,１５５,１６４,１６６や排出球演出装置１１０、可動演出装置４０(後述)等が配設されている。なお、実施例の透明板２１は、アクリル樹脂により一定の厚み寸法の平板状に形成されている。ここで、前記透明板２１および裏ユニット３５は、外郭形状が略整合する大きさおよび形状に形成されて、該透明板２１と裏ユニット３５とを組み付けた状態で透明板２１の後面を裏ユニット３５で全面的に覆うよう構成され、前側から遊技盤２０(裏ユニット３５)の裏側を視認し得ないようになっている。
【００２０】
(透明板２１について)
図１または図２に示すように、前記透明板２１の前面には、外レール２２ａと内レール２２ｂとが配設されており、両レール２２ａ,２２ｂより画成される略円形の遊技領域２３内に、前記中枠１２に配設された前記打球発射装置から発射されたパチンコ球が打ち出されて、打ち出されたパチンコ球が遊技領域２３を流下することで遊技が行なわれるようになっている。なお、打球発射装置から発射されたパチンコ球は、両レール２２ａ,２２ｂに誘導されて遊技領域２３の左上部位置に打ち出されるようになっている。また、前記透明板２１には、前記裏ユニット３５に形成された開口部３５ａの前方位置に、前後に貫通する貫通口２１ａ(図３参照)が形成されており、該貫通口２１ａに対して前後に開口する枠状に形成された枠状装飾体９０が配設されている。
【００２１】
すなわち、前記裏ユニット３５の開口部３５ａから臨む前記図柄表示装置１７は、前記枠状装飾体９０の開口を介して透明板２１の前側に露出して、該図柄表示装置１７に表示される図柄変動演出や各種の表示演出をパチンコ機１０の前側から視認し得るようになっている。また透明板２１には、図３に示す如く、前記貫通口２１ａ(枠状装飾体９０の配設位置)の下方位置における透明板２１の左右方向の略中央位置に、前後に開口する装着口２１ｂが開設されており、前記遊技領域２３を流下するパチンコ球が入賞可能な始動入賞装置２４や第１の特別入賞装置２５が、該装着口２１ｂを介して透明板２１に取り付けられている。なお、実施例では、前記始動入賞装置２４の下方に第１の特別入賞装置２５が位置している。
【００２２】
(始動入賞装置２４について)
前記始動入賞装置２４は、上方に開口する上入賞口２４ａと、該上入賞口２４ａの下方に位置する下入賞口２４ｂと、該下入賞口２４ｂを挟む左右両側に設けられ、当該下入賞口２４ｂを開閉する一対の羽根部材２４ｃ,２４ｃとを備えて、上下の入賞口２４ａ,２４ｂにパチンコ球が入賞することで、前記図柄表示装置１７において図柄変動演出が開始されるよう構成される。なお、実施例では、前記上下の入賞口２４ａ,２４ｂにパチンコ球が入賞した場合には、所定数(例えば３〜５個)のパチンコ球が賞球として前記上下の球受け皿１４,１５に払い出されるようになっている。そして、図柄変動演出の結果、図柄表示装置１７に所定の図柄組み合わせ(例えば同一図柄の三つ揃い等)で図柄が停止表示されることで所謂「大当り」が発生し、これにより第１の特別入賞装置２５や第２の特別入賞装置９３(後述)が開放されて多数の賞球を獲得する機会が遊技者に付与されると共に、前記図柄表示装置１７において所要の大当り演出が行なわれるようになっている。
【００２３】
(第１の特別入賞装置２５について)
前記第１の特別入賞装置２５は、特別入賞口２５ａが開閉扉２５ｂにより常には閉鎖されており、前記図柄表示装置１７での図柄変動の結果「大当り」が発生した際に開閉扉２５ｂが開放して(図２参照)、特別入賞口２５ａへの入賞により多数の賞球を獲得し得るようになっている。実施例では、前記第１の特別入賞装置２５では、前記図柄表示装置１７に所定の図柄組み合わせが停止して大当りが発生すると、所定時間(例えば３０秒)の開放を１回とするラウンド遊技を複数回(例えば１５回)繰り返すよう作動制御される。
【００２４】
(枠状装飾体９０について)
図２、図３、図２０、図２１に示すように、前記枠状装飾体９０は、前後に開口する枠状に形成されて、前記遊技盤２０(透明板２１)に開設した前記貫通口２１ａに取り付けられており、前記裏ユニット３５に配設された図柄表示装置１７が枠状装飾体９０の開口に臨んで前側から視認し得るようになっている。そして、前記枠状装飾体９０の内周下縁部に、パチンコ球が転動するステージ９１が形成されており、該枠状装飾体９０の左側部に形成された球入口９０ａに通入して球誘導路９２を通過したパチンコ球がステージ９１に案内され、該ステージ９１を転動した後にパチンコ球が遊技領域２３に排出落下されるよう構成されている。なお、前記球入口９０ａおよび球誘導路９２は、透明な合成樹脂材により形成されて、該球入口９０ａや球誘導路９２を通過するパチンコ球を前側から視認し得るようになっている。また、図１〜図３に示すように、前記枠状装飾体９０の上部位置には、前記図柄表示装置１７での図柄の変動結果に応じて開放することで前記遊技領域２３を流下するパチンコ球が入賞可能な第２の特別入賞装置９３が設けられている。また、前記球誘導路９２の後端部には、図２１、図２２、図３７に示すように、後方に突出する第１の球規制片９２ａが上下方向に延在するよう形成されており、該第１の球規制片９２ａに接触したパチンコ球を、裏ユニット３５に設けられた後述する湾曲面部１５１(第２の球排出通路ＲＢ２)に案内して透明板２１と裏ユニット３５との間に進入するのを規制するようになっている。
【００２５】
(第２の特別入賞装置９３について)
前記第２の特別入賞装置９３は、前記枠状装飾体９０の上部位置に、左方向に開口するよう開設された特別入賞口９３ａをフラップ状の開閉部材９３ｂにより閉鎖するよう構成されており、該開閉部材９３ｂが左方向に傾倒することで、該特別入賞口９３ａが遊技領域２３内に開口するようになっている。前記第２の特別入賞装置９３の特別入賞口９３ａは、前記開閉部材９３ｂにより常には閉鎖されており、前記図柄表示装置１７での図柄変動の結果、前記第１の特別入賞装置２５の開閉扉２５ｂを開放させる前記所定の図柄組み合わせ以外の特定の図柄組み合わせ(例えば同一図柄の三つ揃いや予め設定された特定の図柄の停止表示等)が図柄表示装置１７に停止表示されることで発生する「大当り」により、該開閉部材９３ｂを開放するよう作動制御されて、入賞口へのパチンコ球の入賞を許容するようになっている。そして、前記第２の特別入賞装置９３の特別入賞口９３ａに入賞したパチンコ球を球検出センサ(図示せず)が検出することで、遊技者が多数の賞球を獲得し得るようになっている。また、大当り(後述する特別開放大当り)が発生すると、前記図柄表示装置１７の表示面において、前記第１の特別入賞装置２５が開放する大当りの時とは異なった特別開放大当り演出が表示されるよう表示制御されている。
【００２６】
すなわち、実施例に係るパチンコ機１０では、「大当り」の発生時に開放可能な２つの特別入賞装置２５,９３が配設されており、「大当り」の発生条件に応じて、第１の特別入賞装置２５および第２の特別入賞装置９３の何れかの入賞口が開放されるようになっている。例えば、「大当り」の発生時における図柄組み合わせの種類(偶数、奇数)に応じて第１の特別入賞装置２５および第２の特別入賞装置９３の何れかの入賞口が開放するよう作動制御される。ここで、前記第２の特別入賞装置９３は、枠状装飾体９０の左上部位置に設けられていることから、前記第１の特別入賞装置２５に較べて、遊技領域２３の左上部に打ち出されたパチンコ球が入賞し易くなっている。また、第２の特別入賞装置９３に入賞せずに、遊技領域２３の最下部まで流下して回収されるパチンコ球も減少する。
【００２７】
また、前記第２の特別入賞装置９３が開放される大当りとして、所定時間(例えば２．６秒)の開放を連続して複数回(例えば１６回)行なうラウンド遊技を１〜３回の内の何れか回数だけ実行される「特別開放大当り」と、短時間(例えば０．５秒)の開放を２回だけ行なう「２ラウンド大当り」とが設定されている。従って、実施例では、大当りにおける第２の特別入賞装置９３の開放回数は、２回、１６回、３２回、４８回の何れかとなる。なお、「特別開放大当り」の発生時に、第２の特別入賞装置９３の開放回数が１６回となるか３２回となるか、４８回となるかは、図柄表示装置１７の表示態様から区別することは困難または不可能としてある。また、「特別開放大当り」の発生と、「２ラウンド大当り」の発生については、図柄表示装置１７に表示される表示態様により区別し得るよう設定されている。なお、「特別開放大当り」では、ラウンド遊技の間に所定時間(例えば１秒)のインターバルが設定されている。ここで、前記図柄表示装置１７は、前記ラウンド遊技間のインターバル中にラウンド遊技の継続を演出するラウンド継続演出が特別開放大当り演出として表示されるよう表示制御される。なお、特別開放大当り時のラウンド遊技の回数としては、１〜３回に限られないことは当然である。また、第２の特別入賞装置９３では、短時間(例えば０．５秒)の開放を２回だけ行なう「小当り」が別に設定されている。なお、「２ラウンド大当り」が発生する際に図柄表示装置１７に表示される表示態様と、「小当り」が発生する際に図柄表示装置１７に表示される表示態様とを同一または近似させるよう設定されており、図柄表示装置１７の表示態様から区別することは困難または不可能となるようしてある。
【００２８】
(球案内通路９４について)
前記枠状装飾体９０には、図１〜図３に示すように、前記第２の特別入賞装置９３の特別入賞口９３ａに連通する球案内通路９４が、該枠状装飾体９０の内周側に形成されている。そして、前記枠状装飾体９０の開口上縁部には、前記球案内通路９４を通過するパチンコ球を検出する球検出センサが設けられており、該球検出センサがパチンコ球を検出することで、所定数(例えば１０個)のパチンコ球が賞球として払い出されるようになっている。すなわち、前記第２の特別入賞装置９３の特別入賞口９３ａに入賞したパチンコ球は、前記球案内通路９４を通過する過程で球検出センサに検出される。
【００２９】
前記球案内通路９４は、前記第２の特別入賞装置９３の特別入賞口９３ａに連通して前記枠状装飾体９０の開口左側縁部に沿って延在すると共に、前記ステージ９１の上方において枠状装飾体９０の開口左下部から開口右下部に向けて延在する湾曲形状に形成されている。そして、前記第２の特別入賞装置９３の特別入賞口９３ａに入賞して前記球案内通路９４に沿って転動したパチンコ球が、該枠状装飾体９０の開口右下部に位置する球案内通路９４の下流端部から放出されて、前記裏ユニット３５に設けられた後述の球回収通路ＲＡ(図２５等参照)に流入し、パチンコ機１０の裏側に設けられた球回収部に回収されるようになっている。以下の説明では、前記球案内通路９４において、左側縁部に沿って略上下方向に延在する部分を排出球案内領域９４ａと称し、前記枠状装飾体９０の開口下縁側に位置して前記ステージ９１の上方に位置する部分を、特に排出球演出領域９４ｂと称するものとする。なお、前記球案内通路９４は、緩やかに湾曲するよう形成されており、前記排出球案内領域９４ａと排出球演出領域９４ｂとの境界位置が厳然と区別されている必要はない。また、前記球案内通路９４の排出球案内領域９４ａは、透明な合成樹脂材により筒状に形成されると共に、該球案内通路９４の排出球演出領域９４ｂは上方に開放して、該排出球案内領域９４ａや排出球演出領域９４ｂを転動するパチンコ球を前側から視認し得るよう構成されている。
【００３０】
前記球案内通路９４は、図１、図２０、図２１等に示すように、前記排出球演出領域９４ｂにおいて排出球案内領域９４ａから離間するにつれて下方傾斜すると共に、前記始動入賞装置２４の上方右寄り位置において最下点となり、該最下点から枠状装飾体９０の開口右下部に向かうにつれて上方傾斜するよう形成された全体として一様に下に凸となる湾曲形状に形成されている。ここで、前記球案内通路９４の下流端部は、該球案内通路９４の球入口９０ａとなる前記第２の特別入賞装置９３の特別入賞口９３ａの形成位置よりも下方に位置して、該特別入賞口９３ａに入賞したパチンコ球が球案内通路９４を自重で流下するだけで下端部から放物線を描くように右斜め上方へ向けて放出され得るようになっている。
【００３１】
また、前記枠状装飾体９０における前記球案内通路９４の最下点部には、該球案内通路９４の後面を画成する後壁面に、前後に開口する球排出口９６が形成されると共に、該球排出口９６の開口に対応する位置に、前記パチンコ機１０の裏側に設けられた球回収部に連通する第１の球排出通路ＲＢ１(球排出通路)を形成する球排出通路形成部材９８が配設されている。すなわち、前記第１の球排出通路ＲＢ１は、前記球案内通路９４に対して経路途中から分岐するよう接続している。そして、前記球案内通路９４の下流端部から前記裏ユニット３５の球回収通路ＲＡ(図２５、図３０、図３３等参照)に流入し得なかったパチンコ球を、前記球排出通路形成部材９８が形成する第１の球排出通路ＲＢ１を介して前記パチンコ機１０の裏側の球回収部に回収し得るようになっている。なお、第１の球排出通路ＲＢ１は、後述のように前記球検出センサ１０６によるパチンコ球の検出位置よりも下流側で前記球回収通路ＲＡ(第２の球通路１５７)に接続している。また、前記球案内通路９４の最下点部には、後方に向けて下方傾斜する排出凹部９６ａが形成されており、球案内通路９４を転動するパチンコ球を球排出通路形成部材９８(第１の球排出通路ＲＢ１)に向けて誘導して、球案内通路９４上にパチンコ球が滞らないようになっている。
【００３２】
ここで、前記球排出通路形成部材９８は、右方向に向かうにつれて下方傾斜する球転動面９８ａと、該球転動面９８ａの後端部に設けられて上方に突出する後規制板９８ｂと、当該球転動面９８ａの左端部に設けられて上方に突出し、前記球排出口９６の開口左端縁と前後に略整列する側部規制板９８ｃとから構成されており、前記球案内通路９４を転動して球排出口９６から球転動面９８ａ(第１の球排出通路ＲＢ１)に移動したパチンコ球を、右方向(排出球演出装置１１０の配設方向)に案内するようになっている。また、前記後規制板９８ｂは、後述する可動演出装置４０のベース部材４１を被覆可能な大きさ・形状に形成されて、該後規制板９８ｂが前記図柄表示装置１７に直接前後に重ならないよう構成されている。
【００３３】
また、前記球案内通路９４(排出球演出領域９４ｂ)の前面壁９５ｂは、図２２(a),(b)に示すように、前記排出球案内領域９４ａから球案内通路９４の下流端部に向かうにつれて通路の前後幅が変化するよう構成される。具体的には、前記球案内通路９４の排出球演出領域９４ｂでは、前記前面壁９５ｂが前方に変位するよう形成されて、通路の前後幅が徐々に拡大すると共に、前記球案内通路９４の傾斜が下方傾斜から上方傾斜に変化する領域(球案内通路９４の最下点部より右側の領域)において、該前面壁９５ｂが後方に変位するよう形成されて、通路の前後幅が徐々に縮小するよう形成される。ここで、前記球案内通路９４(排出球演出領域９４ｂ)は、前後幅が最大となる部分でパチンコ球の直径２個分以上となるよう設定される。これにより、前記球案内通路９４を下流端部に向けて移動するパチンコ球と、排出球演出装置１１０に接触して球案内通路９４に跳ね返されたパチンコ球(特に戻り球という)とが、球案内通路９４上ですれ違い可能になっている。なお、前記案内通路９４の下流端部では、通路の前後幅がパチンコ球の直径略１個分程度になっている。
【００３４】
球案内通路９４の後面壁９５ａには、図２１、図２２に示すように、前記排出球案内領域９４ａから球排出口９６に至る部分(通路の前後幅が拡大する部分)に、下流端部に向かうにつれて前方に突出するよう傾斜した誘導部９７が形成されている。従って、前記排出球案内領域９４ａから排出球演出領域９４ｂに到来して前記球案内通路９４の下流端部に向けて移動するパチンコ球は、前記誘導部９７により通路前方側を通過するようになる。ここで、前述のように、前記球案内通路９４は、通路の前後幅が最大となる部分から下流端部に近接するにつれて、通路の前後幅が縮小するよう形成されている。このため、前記球案内通路９４の下流端部からは、右斜め後方へ向けてパチンコ球が放出されることから、前記排出球演出装置１１０(第１の可動体１２０)に接触したパチンコ球が通路後方側に跳ね返され易くなり、球案内通路９４上でパチンコ球同士が接触するのを防止し得るようになる。
【００３５】
また、前記枠状装飾体９０には、図２１、図２３、図２４等に示すように、前記球案内通路９４の下流端部より右方側に、後方に向けて下方傾斜する傾斜案内部９９が形成されている。前記傾斜案内部９９は、前記排出球演出装置１１０(後述する第１の可動体１２０)の下方に位置すると共に、該傾斜案内部９９の傾斜下端が後述する第２の球通路１５７の上方開口に臨むよう形成されている。すなわち、前記球案内通路９４の下流端部から放出されて排出球演出装置１１０(第１の可動体１２０)に接触したパチンコ球が球案内通路９４に跳ね返らずに排出球演出装置１１０の下方に落下した場合に、該傾斜案内部９９を介して落下したパチンコ球を第２の球通路１５７(後述)に案内して前記パチンコ機１０の裏側の球回収部に回収し得るようになっている。すなわち、前記傾斜案内部９９は、パチンコ球を球回収部に排出する第４の球排出通路ＲＢ４の一部を構成している。
【００３６】
また、図２に示すように、前記枠状装飾体９０の下部位置には、前記ステージ９１および球案内通路９４の後端部に連設する遮蔽板９０ｃが、該ステージ９１と球案内通路９４とが上下に重なる領域全体に設けられている。ここで、前記遮蔽板９０ｃは、透明な合成樹脂材により形成されると共に略全面に光拡散加工が施されており、前記ステージ９１と球案内通路９４との間から透明板２１の裏側を視認し得ないよう構成されると共に、前記裏ユニット３５に配設された可動演出装置４０のＬＥＤ基板５８(後述)の光が遮蔽板９０ｃに照射されて明輝されるようになっている。
【００３７】
(裏ユニット３５について)
前記裏ユニット３５は、図３または図４に示すように、前記透明板２１の外郭形状と略整合する大きさおよび形状に形成されると共に前方に開口する箱枠状に形成されて、該裏ユニット３５の開口前端部を透明板２１の裏面に当接させた状態で、透明板２１と裏ユニット３５とが連結固定される。そして、前記裏ユニット３５には、前記透明板２１との間に画成される空間に、各種の装飾部材１５０,１５５,１６４,１６６や排出球演出装置１１０、可動演出装置４０が配設されている。また、前記裏ユニット３５には、前記球回収部に連通する通路(後述の球回収通路ＲＡ、第１〜第３の球排出通路ＲＢ２,ＲＢ３)が形成されており、前記枠状装飾体９０に配設された前記第２の特別入賞装置９３の特別入賞口９３ａに入賞したパチンコ球を、裏ユニット３５に形成した通路(球回収通路ＲＡ、第１〜第４の球排出通路ＲＢ１〜ＲＢ４)を介して球回収部に回収するようになっている。前記裏ユニット３５には、略矩形状の開口部３５ａが前後に開口するよう開設されると共に、該裏ユニット３５の裏側に前記図柄表示装置１７が着脱自在に取り付けられており、該開口部３５ａを介して図柄表示装置１７が透明板２１の前側から視認し得るようになっている。なお、図柄表示装置１７としては、液晶表示装置やドラム式の表示装置、ベルト式の表示装置等の各種図柄を変動表示可能な従来公知の表示装置を用いることができる。
【００３８】
なお、実施例の裏ユニット３５には、前記装飾部材として、前記開口部３５ａの開口左下部に配設される第１の装飾部材１５０と、開口部３５ａの開口右下部に配設される第２の装飾部材１５５と、開口部３５ａの開口左側部に配設される第３の装飾部材１６４と、開口部３５ａの開口上部に配設される第４の装飾部材１６６とが配設されて、前記透明板２１を介して前方から視認可能な領域を各装飾部材で装飾するようになっている。また、各装飾部材１５０,１５５,１６４,１６６の裏側には、ＬＥＤを備えたＬＥＤ基板(図示せず)が配設されており、ＬＥＤを発光させることで対応の装飾部材１５０,１５５,１６４,１６６を明輝して遊技盤２０の装飾性を高めるよう構成されている。
【００３９】
(可動演出装置４０について)
前記可動演出装置４０は、図４〜図６に示すように、前記裏ユニット３５に取り付けられるベース部材４１と、該ベース部材４１の前面側に回転可能に支持された可動部材７０と、当該ベース部材４１に設けられて可動部材７０を駆動する駆動モータ(駆動手段)５０と、該駆動モータ５０および可動部材７０を連繋接続する伝達手段５２,５３,５４とを備え、該駆動モータ５０を駆動することで、伝達手段５２,５３,５４を介して可動部材７０が回転動作されるようになっている。ここで、前記ベース部材４１は、後方に開口する前ケース体４２と、該前ケース体４２の後方開口を閉成する後ケース体４７とから内部に収容空間４８(図５または図１９参照)が画成された横長箱状に形成されて、前記裏ユニット３５に開設された開口部３５ａの下方に位置するようベース部材４１が配設されている。このとき、前記ベース部材４１の前ケース体４２が、前記枠状装飾体９０に設けられた遮蔽板９０ｃに対向するよう構成される。なお、前記ベース部材４１は、透明な合成樹脂材により形成されて、該ベース部材４１の内部(すなわち収容空間４８)を前側から視認し得るよう構成されている。
【００４０】
前記ベース部材４１の前ケース体４２には、図６に示すように、前後に貫通する軸孔４２ａが形成されており、該軸孔４２ａに前記可動部材７０の回転軸７０ａを挿通することで、可動部材７０がベース部材４１に対して回転可能に支持されている。また、前記後ケース体４７には、前記軸孔４２ａよりも左下方に離間した位置に前後に貫通する通孔４７ａが形成され、該通孔４７ａに駆動軸５０ａを後方から挿通する姿勢で、前記駆動モータ５０が後ケース体４７の後面側に取り付けられている。なお、前記軸孔４２ａは、前記ベース部材４１を裏ユニット３５に取り付けた状態で、前記始動入賞装置２４の入賞口の上方に位置している。
【００４１】
前記伝達手段５２,５３,５４は、前記後ケース体４７に形成した通孔４７ａに挿通された前記駆動モータ５０の駆動軸５０ａに取り付けられる駆動歯車５２と、前記ベース部材４１に軸支されて該駆動歯車５２に噛合する従動歯車５３と、前記前ケース体４２に形成した軸孔４２ａに挿通された前記可動部材７０の回転軸７０ａに取り付けられ、該従動歯車５３に噛合する回転軸歯車５４とからなり、駆動モータ５０の駆動により駆動歯車５２を正逆回転させることで、従動歯車５３および回転軸歯車５４を介して可動部材７０が回転軸７０ａを中心として正逆回転するよう構成されている。また、前記従動歯車５３の外周面には、図６または図９に示すように、該従動歯車５３の回転支軸５３ａを中心として径方向外方に扇状に延出する位置検出片５５が形成されると共に、前記ベース部材４１の収容空間４８には、該位置検出片５５を検出する位置検出センサ５６が配設されており、該位置検出片５５の回転位置を位置検出センサ５６で検出することで、前記可動部材７０の初期位置(図５の実線または図９(a)参照)および可動位置(図５の２点鎖線または図９(b)参照)を識別するようになっている。具体的には、従動歯車５３の回転に伴って回転する位置検出片５５の回転方向の一方の端部を前記位置検出センサ５６が検出することで可動部材７０の初期位置が識別され、従動歯車５３の回転に伴って回転する位置検出片５５の回転方向の他方の端部を位置検出センサ５６が検出することで可動部材７０の可動位置が識別されるよう構成されている(図９参照)。なお、前記可動演出装置４０の駆動モータ５０は、前記可動部材７０に所定の制御条件下で回転動作を行なわせた後に、該可動部材７０を初期位置に復帰させるよう駆動制御される。
【００４２】
図６または図８に示すように、前記ベース部材４１には、前記軸孔４２ａの上方側に、該軸孔４２ａと同心となる円弧状の開口部４３(以下円弧状開口部という)が開設されている。前記円弧状開口部４３は、前記軸孔４２ａの左方から上方、更に右方へ至る間に亘って形成されている。また、前記前ケース体４２の前面には、前記可動部材７０を初期位置で位置規制する初期位置規制突部４５および可動部材７０を可動位置で位置規制する可動位置規制突部４６が夫々突設されている。なお、前記初期位置規制突部４５は、図５または図８において前記軸孔４２ａの左下方に位置し、前記可動位置規制突部４６は、軸孔４２ａの右下方に位置している。
【００４３】
(ＬＥＤ基板５８について)
また、図６に示すように、前記ベース部材４１に画成される収容空間４８には、前面にＬＥＤ(発光体)５９,６０が実装されたＬＥＤ基板５８が配設されると共に、該ＬＥＤ基板５８に実装されたＬＥＤ５９,６０の光の照射範囲を区画する区画部材６１が配設される。前記ＬＥＤ基板５８は、前記ベース部材４１(前ケース体４２)に形成された前記円弧状開口部４３を介してベース部材４１の前方に露出する円弧状部５８ａと、該円弧状部５８ａの左右端部に連続して形成され前記前ケース体４２に対向する本体板部５８ｂとを一体に備え、該円弧状部５８ａおよび本体板部５８ｂの夫々に前記ＬＥＤ５９,６０が設けられている。なお、前記円弧状部５８ａに設けられたＬＥＤを第１のＬＥＤ５９と指称し、本体板部５８ｂに設けられたＬＥＤを第２のＬＥＤ６０と指称する。
【００４４】
前記第１および第２のＬＥＤ５９,６０の夫々は、前記可動部材７０の回転軸７０ａの延在方向(すなわち前方)に光を照射するよう実装されており、第１のＬＥＤ５９からの光は、前記円弧状開口部４３を介してベース部材４１の前方に照射されると共に(図８または図１５〜図１９参照)、前記第２のＬＥＤ６０からの光は、前記前ケース体４２を透過してベース部材４１の前方に照射されるようになっている。すなわち、前記円弧状開口部４３を介してベース部材４１の前方に照射された第１のＬＥＤ５９からの光は、前記可動部材７０(後述の基部７１)に照射されると共に、前記前ケース体４２を透過した第２のＬＥＤ６０からの光は、前記可動演出装置４０(ベース部材４１)の前方に位置する前記遮蔽板９０ｃに照射されて、該遮蔽板９０ｃを明輝するようになっている。
【００４５】
(区画部材６１について)
前記区画部材６１は、図６または図７に示すように、前記ベース部材４１(前ケース体４２)に形成された円弧状開口部４３に嵌合可能な円弧形状に湾曲形成された円弧状本体部６２と、該円弧状本体部６２の外周面に形成され、該外周面から径方向外方に突出する第１支持突部６３,６３と、当該円弧状本体部６２の円弧内周面に形成され、該内周面から径方向内方に突出する第２支持突部６４と、該円弧状本体部６２の後端部に形成されて後方に突出し、前記ＬＥＤ基板５８の前面に当接する支持片６５とを備えている。すなわち、前記区画部材６１は、前記ベース部材４１(前ケース体４２)の円弧状開口部４３に前記円弧状本体部６２を後方から嵌合させて、円弧状開口部４３の外周縁部に前記第１支持突部６３,６３を当接させると共に、当該円弧状開口部４３の内周縁部に前記第２支持突部６４を当接させた状態で前記ＬＥＤ基板５８を前ケース体４２に固定することで、ＬＥＤ基板５８の前面に前記支持片６５が当接して、区画部材６１が前ケース体４２とＬＥＤ基板５８との間に挟持固定されるようになっている。なお、実施例では、前記円弧状本体部６２の後端部よりも後方まで前記第１支持突部６３,６３が突出しており、該第１支持突部６３もＬＥＤ基板５８の前面に当接するようになっている。
【００４６】
更に、図６〜８、図１５〜図１９に示すように、前記区画部材６１の円弧状本体部６２には、前記可動部材７０の回転軸７０ａの延在方向(前後方向)に開口する複数の発光体収容部６７が開設されている。具体的には、前記円弧状本体部６２には、前記可動部材７０の回転方向に離間して設けられた２つの仕切り壁６６,６６によって区画された３つの発光体収容部６７が形成されており、前ケース体４２とＬＥＤ基板５８との間に区画部材６１を挟持固定した状態で、該ＬＥＤ基板５８の円弧状部に設けられた前記第１のＬＥＤ５９が各発光体収容部６７の後方開口部に１個ずつ臨むようになっている(図８等参照)。
【００４７】
すなわち、前記ＬＥＤ基板５８の第１のＬＥＤ５９を発光した際に、各第１のＬＥＤ５９に対応した発光体収容部６７の開口を介して、前方(具体的には、後述する可動部材７０の第１反射面７８)に向けて光が照射される。ここで、図１９に示すように、前記各仕切り壁６６,６６は、前記第１のＬＥＤ５９よりも前方に位置して、各第１のＬＥＤ５９の発光時に、隣接する発光体収容部６７に光が入射し得るようになっている。
【００４８】
(可動部材７０について)
前記可動部材７０は、図６、図１０〜図１３に示すように、後方に開口する円筒状の基部７１と、該基部７１から径方向外方に延在すると共に後方に開口し、所要の装飾がなされた装飾体としての針状部７２と、当該基部７１の裏側に設けられて前記第１のＬＥＤ５９からの光を針状部７２の延在方向に向けて反射する第１反射部材７５と、当該針状部７２の裏側に設けられて第１反射部材７５で反射された光を針状部７２の前面裏側に向けて反射する第２反射部材８０と備えている。すなわち、前記基部７１および針状部７２の夫々は、前面を向く前面部７１ａ,７２ａと、各前面部７１ａ,７２ａの外周縁から後方に演出した外側面７１ｂ,７２ｂとから形成されて、該基部７１ａの前面部７１ａに、所要の意匠を表した略円板状の非光透過性の装飾板７９が取り付けられている。なお、前記装飾板７９には、前後に貫通する通孔７９ａが形成されている。また、前記基部７１の外周面７１ｂおよび針状部７２の外側面７２ｂは、後方に向けて拡開するよう形成されている。更に、前記基部７１と針状部７２とは、切欠部７１ｃを介して連通している。
【００４９】
また、前記基部７１および針状部７２の夫々は、透明な合成樹脂により形成されると共に、該基部７１および針状部７２の前面部７１ａ,７２ａの一部および外側面７１ｂ,７２ｂの表面全体が遮光性の塗装等により形成された非光透過部７４が設けられている。すなわち、前記基部７１の前面部７１ａにおいて前記装飾板７９で覆われていない透明な樹脂部分が露出した領域および針状部７２の前面部７２ａにおいて非光透過部７４が形成されていない透明な樹脂部分が露出した領域が光透過部７３として機能し、該基部７１の前面部７１ａに設けられた光透過部７３を介して前記第１のＬＥＤ５９からの光の一部が可動部材７０の前方に透過され、該針状部７２の前面部７２ａの光透過部７３を介して前記第２反射部材８０で反射された光が可動部材７０の前方に透過させるようになっている。具体的には、前記基部７１では、前記装飾板７９の外周部および該装飾板７９の通孔７９ａを介して透明な樹脂部分が露出して光透過部７３を形成するよう構成され、前記針状部７３では、長手方向に延在する３本の光透過部７３が略平行に延在するよう形成されている。なお、図１２(a)には、実施例において前記可動部材７０(基部７１および針状部７２)の光透過部７３となる部分に斜線を付してある。
【００５０】
図１１または図１２に示すように、前記ベース部材４１の軸孔４２ａに挿通される前記回転軸７０ａは、前記可動部材７０の基部７１の前面部７１ａの中央位置に、後方に延在するよう固定されており、前記駆動モータ５０の駆動により針状部７２が回転軸７０ａを中心として回転するようになっている。ここで、前記可動部材７０が初期位置にある姿勢では、図５に実線で示すように前記針状部７２が左方向に傾倒して略水平に延在すると共に、可動位置にある姿勢では、図５に２点鎖線で示すように、針状部７２が右方向に傾倒して略水平に延在するようになっており、前記駆動モータ５０の駆動に伴って可動部材７０が図５の右回りに回転することで初期位置から可動位置に姿勢変化し、反対に図５の左回りに可動部材７０が回転することで可動位置から初期位置に姿勢変化するよう構成されている。また、前記初期位置では、前記ベース部材４１に形成された前記初期位置規制突部４５の上端部に針状部７２の外側面７２ｂが当接して図５における左回りへの可動部材７０の回転が規制され(図５または図１５参照)、前記可動位置では、ベース部材４１に形成された可動位置規制突部４６の上端部に針状部７２の外側面７２ｂが当接して図５における右回りへの可動部材７０の回転が規制されるようになっている（図５または図１６参照）。
【００５１】
前記第１反射部材７５は、図１０〜図１２に示すように、前記基部７１に固定される固定部７６と、前記切欠部７１ｃに臨み、可動部材７０の回転方向に離間して対向位置する一対の位置決め片７７,７７と、該位置決め片７７,７７の間に形成された第１反射面(第１反射部)７８とから構成されている。ここで、前記基部７１の前面部７１ａの半径は、前記回転軸７０ａから前記円弧状開口部４３の外周側開口縁までの寸法よりも大きく設定され、該円弧状開口部４３(区画部材６１)が基部７１で常に覆われており、円弧状開口部４３(区画部材６１)と前後に整列する位置に、前記第１反射面７８が設けられている(図１７参照)。すなわち、前記可動部材７０の回転に伴って第１反射面７８が前記区画部材６１に形成された各発光体収容部６７の開口部の前方に順次臨むことで、各発光体収容部６７の開口部を透過した第１のＬＥＤ５９の光を第１反射面７８で反射し得るようになっている。
【００５２】
ここで、前記第１反射面７８は、前記第１反射部材７５の後端部から前方に向かうにつれて回転軸７０ａから一様に離間するよう傾斜する平面状に形成された傾斜部７５ａに設けられて、回転軸７０ａの後方側から入射した光を、当該回転軸７０ａの交差方向に反射するよう構成されている。ここで、前記第１反射面７８は、前記可動部材７０の切欠部７１ｃに臨んでおり、前記第１のＬＥＤ５９からの第１反射面７８に照射された光を、該切欠部７１ｃを介して前記針状部７２(第２反射部材８０)に向けて可動部材７０の回転軸７０ａに交差する方向(回転軸７０ａに略直交する方向)へ反射される。また、前記第１反射面７８は、前記回転軸７０ａの後端側から視た状態で、前記区画部材６１に形成された１つの発光体収容部６７の開口部に略整合する大きさに形成されており、前記可動部材７０が回転動作することで、発光体収容部６７の開口部に個別的に順次臨んで、各発光体収容部６７に臨む第１のＬＥＤ５９からの光を前記針状部７２(第２反射部材８０)に向けて反射する。すなわち、前記可動部材７０が回転時に、前記第１反射面７８の後方に位置する第１のＬＥＤ５９(例えば図１７では中央に位置する第１のＬＥＤ５９)からの光が針状部７２(第２反射部材８０)に向けて反射され、該第１反射面７８の後方に位置していない第１のＬＥＤ５９(例えば図１７では左右に位置する第１のＬＥＤ５９)からの光が前記基部７１の前面部７１ａの裏側に照射されて、該前面部７１ａの各光透過部７３を介して前方に光が透過するようになっている。なお、前記第１反射面７８は、前記傾斜部７５ａに反射シートを貼付することで形成されている。
【００５３】
図１０、図１１または図１３に示すように、前記第２反射部材８０は、前記針状部７２の前面裏側に略整合する形状に形成されて前記光透過部に対向する後板部８１と、該後板部８１の外周縁から前方に向けて延出する外壁部８３と、当該後板部８１の前面に設けられ、前記第１反射部材７５の第１反射面７８で反射された光を光透過部７３に向けて反射する反射面部(第２反射部)８２とを備えた前方に開口する箱状に形成されている。そして、前記第２反射部材８０は、該第２反射部材８０における回転軸７０ａ側の端部を、前記第１反射部材７５の位置決め片７７,７７の間に嵌合させた状態で、前記針状部７２の裏側に固定されるようになっている。
【００５４】
ここで、前記第２反射部材８０は、透明な合成樹脂材により形成されて、前記後板部８１の外面側(後面)および外壁部８３において前記針状部７２の外側面７２ｂに対向する外面に、内側に向けて光を反射する光反射加工が施されている。すなわち、前記第２反射部材８０の外壁部８３において、前記第１反射部材７５(第１反射面７８)との対向面には光反射加工が施されておらず、第１反射面７８で反射された光が第２反射部材８０の内側(針状部７２の前面裏側と第２反射部材８０の反射面部８２との間)に入射し得るようになっている。なお、前記光反射加工としては、白色塗装や金属メッキ加工、鏡面状のシール貼付、その他光を反射可能な従来公知の加工を採用し得る。以下の説明において、前記第１反射部材７５(第１反射面７８)に対向する第２反射部材８０の外周壁部を透過壁部８３ａと指称する。
【００５５】
また、図１０、図１３、図１４または図１９に示すように、前記第２反射部材８０に形成される反射面部８２には、前記第１反射面７８から離間するにつれて前記光透過部７３側に近接するよう傾斜した第２反射面(反射面)８２ａが複数形成されており、前記第１反射面７８で反射された光を、前記光透過部７３に向けて各第２反射面８２ａで反射するようになっている。すなわち、前記各第２反射面８２ａは、前記第１反射面７８からの反射光の照射方向との交差方向に延在すると共に、該反射光の照射方向に並列に形成される。従って、前記反射面部８２は、図１３、図１４または図１９に示すように、前記第１反射面７８からの反射光の照射方向に破断した断面が鋸刃状を呈している。
【００５６】
前記第２反射部材８０の後板部８１は、図１３または図１４に示すように、前記第１反射部材７５(第１反射面７８)側の端部から離間するにつれて前記光透過部７３側に近接するよう傾斜している。そして、前記第１反射部材７５(第１反射面７８)から離間するにつれて、前記第２反射面８２ａの前端部から光透過部７３までの距離Ｌ(図１４参照)が漸減するよう形成される。これにより、前記第２反射部材８０において第１反射部材７５(第１反射面７８)から離間する端部に位置する反射面部８２(各第２反射面８２ａ)まで第１反射面７８からの反射光が到達し、前記反射面部８２(各第２反射面８２ａ)の全体で光を反射し得るようになっており、前記光透過部７３の全体を略均一な明るさで明輝させ得るようになっている。
【００５７】
また、図１０、図１１または図１３に示すように、前記第２反射部材８０の内側(光透過部７３と反射面部８２との間)には、該第２反射部材８０の内部形状に略整合する形状に形成された板状の透明部材８５が配設されている。前記透明部材８５には、前記第２反射部材８０の反射面部８２(第２反射面８２ａ)との対向面の全体に光拡散部８５ａが形成されると共に、該透明部材８５の端面が第２反射部材８０の透過壁部８３ａに対向するよう構成されている。すなわち、前記第２反射部材８０の透過壁部８３ａを介して前記第１反射面７８に前記透明部材８５の端面が対向し、該第１反射面７８で反射されて透過壁部８３ａを透過した光が透明部材８５に入射するようになっている。なお、前記光拡散部８５ａとしては、前記透明部材８５に対してダイヤカットやローレット加工等の光拡散加工を施してもよく、また透明部材８５に対して光拡散シートを貼付するようにしてもよい。
【００５８】
また、前記透明部材８５における光拡散部８５ａの形成面は、図１３に示すように、前記第１反射面７８に近接する端部から離間するにつれて前記光透過部７３側に近接するよう傾斜形成されており、該透明部材８５における光拡散部８５ａの形成面が、前記第２反射面８２ａの前端部を結んだ線と略平行になるよう構成される。従って、前記透過壁部８３ａを透過して透明部材８５に入射した光が、光拡散部８５ａで拡散されて反射面部８２(各第２反射面８２ａ)の全体に照射されるようになっている。
【００５９】
従って、前記可動部材７０では、前記透明部材８５に入射して前記光拡散部８５ａで拡散された光が前記第２反射部材８０の反射面部８２(第２反射面８２ａ)で反射され、更に反射面部８２(第２反射面８２ａ)からの反射光が光拡散部８５ａで拡散された後に前記針状部７２の光透過部７３に照射されるようになっている。これにより、前記第１反射面７８からの反射光が、第２反射部材８０の反射面部８２(第２反射面８２ａ)の全体に照射され、前記光透過部７３の全体が略均一な明るさで明輝される。
【００６０】
(排出球演出装置１１０について)
図２３〜図２５等に示すように、前記排出球演出装置１１０は、前記球案内通路９４の下流端部と、前記球案内通路９４の下流端部から放出されたパチンコ球が通入する通路形成部材１０１(後述)の球通入口１０２ａとの間に位置するよう裏ユニット３５に配設されて、該排出球演出装置１１０が備える第１の可動体１２０を開閉させることで、該球案内通路９４の下流端部から放出されたパチンコ球が球通入口１０２ａに通入するのを規制または許容するよう構成される。ここで、前記排出球演出装置１１０は、図２６、図２７に示すように前記球案内通路９４の下流端部および前記通路形成部材１０１(第１の球通路１０４)の球通入口１０２ａの間に配置される装置本体１１１と、該装置本体１１１に揺動可能に支持された第１の可動体１２０と、当該装置本体１１１に設けられた駆動モータ(駆動手段)１１５と、該駆動モータ１１５に接続されて当該駆動モータ１１５の駆動により第１の可動体１２０を回転動作させる作動部材(作動手段)１３７と、該装置本体１１１に揺動可能に支持され、第１の可動体１２０の動作に連動して揺動される第２の可動体１４２を備えて、当該駆動モータ１１５の駆動に伴って第１および第２の可動体１２０,１４２が揺動するよう構成される。
【００６１】
なお、前記排出球演出装置１１０は、前記装置本体１１１に対して動物(具体的には狼)の上顎および顔を模した形状を呈する本体装飾カバー１１６ａ,１１６ｂが取り付けられると共に、第１の可動体１２０に対して動物の下顎を模した形状を呈する可動体装飾カバー１１７ａ,１１７ｂが取り付けられて、該装置全体として動物の頭部を模した形状を呈するよう形成されており、前記駆動モータ１１５の駆動に伴って前記第１の可動体１２０が回転動作することで「口」が開閉する。
【００６２】
(装置本体１１１について)
前記装置本体１１１は、前後のカバー体１１２,１１３から構成されて、両カバー体１１２,１１３の間に前記駆動モータ１１５が配設されると共に、前カバー体１１２に形成した通孔１１２ｂに挿通した駆動モータ１１５の駆動軸１１５ａに駆動歯車１１５ｂが取り付けられている。また、前記前カバー体１１２および後カバー体１１３には、前後に整列する位置に軸孔１１２ａ,１１３ａが夫々開設されており、前後のカバー体１１２,１１３の各軸孔１１２ａ,１１３ａに対して、前記第１の可動体１２０を揺動可能に支持する第１シャフト(回転軸)１４０を挿通するようになっている。また、前記前カバー体１１２の右上部位置には、前記第１の可動体１２０を閉鎖位置(後述)に向けて付勢する引張りバネ(付勢手段)１２８の一端部を固定する掛止部１１４が形成されている。
【００６３】
(第１の可動体１２０について)
前記第１の可動体１２０は、図２７に示すように、前記装置本体１１１の前カバー体１１２に揺動可能に支持される前側半体１２１と、装置本体１１１の後カバー体１１３に揺動可能に支持される後側半体１３１とから構成されている。そして、前記前後のカバー体１１２,１１３の外面側に配設された前記本体装飾カバー１１６ａ,１１６ｂにより装飾されている。前記前側半体１２１は、前記前カバー体１１２の軸孔１１２ａと整列する位置に挿通孔１２２ａが形成された前側支持板部１２２と、該前側支持板部１２２から第１の可動体１２０の径方向外方(球案内通路９４側)に延在する前側基体部１２３と、該前側基体部１２３の先端部側(前側支持板部１２２から離間する球案内通路９４側の端部)に設けられて、後方に延出する前側球受け片１２４とを備えている。
【００６４】
そして、図２７に示すように、前記前側支持板部１２２の外面(前カバー体１１２との対向面とは反対側の面)に前側固定板１２５が固定されると共に、該前側固定板１２５において前記前カバー体１１２の軸孔１１２ａおよび前側支持板部１２２の挿通孔１２２ａと整列する位置に挿通孔１２５ａが形成されており、該軸孔１１２ａおよび挿通孔１２２ａに挿通した前記第１シャフト１４０が前側固定板１２５の挿通孔１２５ａに挿通されている。図２７または図２８に示すように、前記前側半体１２１の前側支持板部１２２には、前方に突出する係合突部(第１係合部)１２２ｂが突設されると共に、前記前側固定板１２５の対応位置に形成された挿通孔１２５ｂを介して係合突部１２２ｂが前側固定板１２５の前方へ突出するよう構成されている。なお、前記係合突部１２２ｂの端部は、前側半体１２１に取り付けられる可動体装飾カバー１１７ａに連結される。
【００６５】
一方、前記後側半体１３１の基本的な形態は、前記前側半体１２１と略対称に形成されている。すなわち、図２７に示すように、前記後側半体１３１は、前記後カバー体１１３の軸孔と整列する位置に挿通孔１３２ａが形成された後側支持板部１３２と、該後側支持板部１３２から第１の可動体１２０の径方向外方(球案内通路９４側)に延在する後側基体部１３３と、該後側基体部１３３の先端部側に設けられて前方に延出し、前記前側球受け片１２４の後端部に当接する後側球受け片１３４とを備えている。また、前記後側支持板部１３２の外面(後カバー体１１３との対向面とは反対側の面)に後側固定板１３５が固定されると共に、該後側固定板１３５において前記後カバー体１１３の軸孔１１３ａおよび後側支持板部１３２の挿通孔１３２ａと整列する位置に挿通孔１３５ａが形成されており、該軸孔１１３ａおよび挿通孔１３２ａに挿通した前記第１シャフト１４０が後側固定板１３５の挿通孔１３５ａに挿通されて固定されている。すなわち、前記第１の可動体１２０では、前記前側半体１２１に形成された前側球受け片１２４の後端部と、後側半体１３１に形成された後側球受け片１３４の後端部とが当接することで、単一の平板状の球受け片１２０ａを形成している。
【００６６】
すなわち、前記第１の可動体１２０(前側半体１２１および後側半体１３１)は、前記第１シャフト１４０を中心として揺動し得るようになっている。ここで、前記第１の可動体１２０は、該第１の可動体１２０の先端部が前記装置本体１１１の底面に近接して、該先端部と装置本体１１１の底面との間をパチンコ球が通過不能な閉鎖位置(第１位置、図２６、図２９(a)、図３３等参照)と、該第１の可動体１２０の先端部が装置本体１１１の底面から離間して、先端部と装置本体１１１の底面との間をパチンコ球が通過可能な開放位置(第２位置、図２５、図２９(b)、図３０等参照)との間を揺動するよう構成される。前記第１の可動体１２０の球受け片１２０ａは、図２９、図３０に示すように、前記開放位置において前記第１シャフト１４０側の端部が前記装置本体１１１の底面から離間するよう形成されており、装置本体１１１の底面と球受け片１２０ａとの間にパチンコ球が通過可能な通過口１２０ｂを画成するようになっている。ここで、前記第１の可動体１２０が開放位置にある状態では、前記通路形成部材１０１に形成された前記球通入口１０２ａに前記通過口１２０ｂが臨むようになっており、該通過口１２０ｂを通過したパチンコ球が球通入口１０２ａに通入し得るよう構成される。
【００６７】
すなわち、前記枠状装飾体９０に配設された前記第２の特別入賞装置９３の特別入賞口９３ａに入賞して前記球案内通路９４を転動したパチンコ球は、該球案内通路９４の下流端部から放出された際に前記排出球演出装置１１０の第１の可動体１２０が開放位置にある場合には、該第１の可動体１２０の球受け片１２０ａと装置本体１１１とにより画成される前記通過口１２０ｂを介して前記通路形成部材１０１の球通入口１０２ａを通過して前記第１の球通路１０４(球回収通路ＲＡ)を流下する。一方、前記球案内通路９４の下流端部からパチンコ球が放出された際に前記排出球演出装置１１０の第１の可動体１２０が閉鎖位置にある場合には、該第１の可動体１２０の球受け片１２０ａと装置本体１１１とにより画成される前記通過口１２０ｂをパチンコ球が通過できず、第１の可動体１２０に接触して球案内通路９４に跳ね返される。また、前記第１の可動体１２０に対するパチンコ球の接触角度や、パチンコ球が接触する際の第１の可動体１２０の動作位置との関係等によって、第１の可動体１２０に接触したパチンコ球が球案内通路９４に跳ね返されず、当該第１の可動体１２０の下方に落下した場合には、前記枠状装飾体９０に形成された傾斜案内部９９や球受け凹部１６２(後述)を介してパチンコ機裏側の球回収部に回収されるようになっている。
【００６８】
また、前記前側固定板１２５の外周部には、図２８に示すように、前側固定板１２５の径方向外方へ突出する連結突部１２６が前記装置本体１１１(前カバー体１１２)の上部側へ延出するよう形成されている。この連結突部１２６には、前記装置本体１１１(前カバー体１１２)に形成された前記掛止部１１４に一端部が固定された前記引張りバネ１２８の他端部が固定されており、該引張りバネ１２８の付勢力により記第１の可動体１２０を閉鎖位置に向けて常時付勢するよう構成されている。また、前記連結突部１２６の突出端部には、後方に向けて延出するアーム部(連繋部)１２６ａが形成されており、前記第２の可動体１４２を揺動する揺動アーム部材１４３(後述)の長孔１４３ａにアーム部１２６ａが挿通される。
【００６９】
前記作動部材１３７は、図２８、図３１等に示すように、前記前側固定板１２５に略整合する円盤状に形成されて、該前側固定板１２５の挿通孔１２５ａと整列する作動部材１３７の中心位置に挿通孔１３７ａが形成されて、該前側固定板１２５の挿通孔１２５ａに挿通された第１シャフト１４０の端部を作動部材１３７の挿通孔１３７ａに挿通するよう構成されている。すなわち、前記作動部材１３７は、前記装置本体１１１に対して前記第１の可動体１２０と同軸位置で回転可能に枢支されている。ここで、前記作動部材１３７の挿通孔１３７ａは、前記第１シャフト１４０よりも大径に形成されて、該挿通孔１３７ａに対して第１シャフト１４０が遊嵌されるようになっており、前記前側固定板１２５と作動部材１３７とが分離して回転するよう構成されている。また、前記作動部材１３７の外周面には、前記駆動歯車１１５ｂと噛合する歯車部１３７ｂが形成されている。従って、前記駆動モータ１１５の駆動により前記駆動歯車１１５ｂが回転することで、前記第１シャフト１４０を中心に作動部材１３７が単独で揺動されるようになっている。
【００７０】
また、前記作動部材１３７には、図２８、図３１に示すように、回転中心(第１シャフト１４０)から径方向外方に向かうにつれて扇状に拡開する扇状切欠部１３８が形成されており、該扇状切欠部１３８の内側に、前記前側固定板１２５の挿通孔１２５ｂに挿通された前記係合突部１２２ｂが位置している。従って、前記駆動モータ１１５の駆動により前記作動部材１３７が回転された際に、前記扇状切欠部１３８を画成する作動部材１３７の端面(第２係合部)１３８ａが係合突部１２２ｂに当接して押圧する。なお、前記係合突部１２２ｂは、前記扇状切欠部１３８の開口よりも小径に形成されて、該扇状切欠部１３８を画成する作動部材１３７の一方の端面１３８ａのみが係合突部１２２ｂに当接し、他方の端面１３８ｂは係合突部１２２ｂから離間するようになっている。以下の説明では、前記作動部材１３７において扇状切欠部１３８を画成する端面の内、前記係合突部１２２ｂを押圧する端面を押圧端面１３８ａと指称し、係合突部１２２ｂから離間する端面を離間端面１３８ｂと指称する。
【００７１】
また、前記作動部材１３７の外周面には、径方向外方に向けて扇状に延出する位置検出片１３７ｃが形成されると共に、前記装置本体１１１(前カバー体１１２)には、該位置検出片１３７ｃを検出する位置検出センサ１３９(位置検出手段)が設けられており、該位置検出センサ１３９が作動部材１３７の位置検出片１３７ｃを検出することで、作動部材１３７の原位置(図２９(a)参照)が検出されるようになっている。ここで、前記位置検出センサ１３９が作動部材１３７の位置検出片１３７ｃを検出する原位置では、前記引張りバネ１２８の付勢力により第１の可動体１２０が閉鎖位置に保持された状態での前記係合突部１２２ｂの上部側に、作動部材１３７の押圧端面１３８ａが当接するよう構成されている。
【００７２】
すなわち、前記駆動モータ１１５の駆動時には、前記作動部材１３７の押圧端面１３８ａが係合突部１２２ｂを下方に押し下げるように作動部材１３７が回転(図２９の反時計回り)され、作動部材１３７の回転に伴って押圧端面１３８ａが係合突部１２２ｂを押し下げるよう押圧することで、前記引張りバネ１２８の付勢力に抗して第１の可動体１２０が閉鎖位置から開放位置に向けて回転される。反対に、前記押圧端面１３８ａが係合突部１２２ｂから離間する方向(図２９の時計回り)に作動部材１３７が回転されることで、引張りバネ１２８の付勢力により第１の可動体１２０が開放位置から閉鎖位置に向けて回転される。そして、前記位置検出センサ１３９が位置検出片１３７ｃを検出して作動部材１３７が原位置に復帰することで駆動モータ１１５が停止される。このとき、前記第１の可動体１２０は、前記引張りバネ１２８の付勢力により閉鎖位置に保持される。すなわち、前記作動部材１３７の原位置(位置検出片１３７ｃ)を位置検出センサ１３９で検出することで、前記第１の可動体１２０の回転位置を直接的に検出することなく、該第１の可動体１２０が閉鎖位置にあることが間接的に検出されるようになっている。
【００７３】
ここで、図３１(a)〜(c)に示すように、前記第１の可動体１２０が閉鎖位置にある状態では、該第１の可動体１２０(係合突部１２２ｂ)が閉鎖位置から開放位置に回転する方向に前記作動部材１３７の離間端面１３７ｂが離間している。従って、前記第１の可動体１２０が閉鎖位置にある状態では、外的な力の作用により第１の可動体１２０を閉鎖位置から開放位置に向けて回転させることが可能となっている。これにより、前記第１の可動体１２０が閉鎖位置にある状態では、前記球案内通路９４の下流端部から放出されて第１の可動体１２０に接触した衝撃(すなわち外力)により第１の可動体１２０が開放位置に向けて揺動され得ると共に(図３１(c)参照)、第１の可動体１２０が開放位置に向けて僅かに揺動された際に、前記係合突部１２２ｂが押圧端面１３８ａから離間することで、第１の可動体１２０に作用する外力の消失に伴い前記引張りバネ１２８の付勢力により第１の可動体１２０が閉鎖位置に復帰するようになっている。なお、外的な力の作用により第１の可動体１２０が閉鎖位置から開放位置に向けて回転されたとしても、前記作動部材１３７が回転されることはなく、前記位置検出センサ１３９による位置検出片１３７ｃの検出状態が維持されて、作動部材１３７は駆動モータ１１５を停止させたまま原位置に保持される。
【００７４】
(第２の可動体１４２について)
前記第２の可動体１４２は、図２７〜図２９等に示すように、「耳」を模した装飾が施された可動体であって、前記前カバー体１１２に取り付けられる本体装飾カバー１１６ａの右上端部に前後に貫通するよう形成された通孔(図示せず)に挿通させた第２シャフト１４４の前端部に、該第２の可動体１４２が固定されている。そして、前記第２シャフト１４４の後端部に、揺動アーム部材(連繋部)１４３の一端部が固定されている。また、前記揺動アーム部材１４３の他端部には、該揺動アーム部材１４３の延在方向に沿って延在する長孔１４３ａが前後に開口するよう形成されて、当該揺動アーム部材１４３の長孔１４３ａに、前記第１の可動体１２０の前側固定板１２５に形成された前記アーム部１２６ａが挿通されている。従って、前記駆動モータ１１５の駆動により前記前側固定板１２５(アーム部１２６ａ)が揺動されることで、前記揺動アーム部材１４３が第２シャフト１４４を中心に揺動されると共に、該揺動アーム部材１４３の揺動に伴って第２シャフト１４４に連結された前記第２の可動体１４２が揺動するようになっている。すなわち、駆動モータ１１５の駆動により第１の可動体１２０と第２の可動体１４２とが一体的に揺動されるよう構成されている。
【００７５】
(パチンコ球の排出経路について)
次に、前記透明板２１の枠状装飾体９０に配設された第２の特別入賞装置９３に入賞したパチンコ球の排出経路に関する構成に関して説明する。具体的には、図２、図３、図３２〜図３９に示すように、前記裏ユニット３５に配設された前記排出球演出装置１１０が固定される通路形成部材１０１と、前記可動演出装置４０の左下部に配設された第１の装飾部材１５０と、該可動演出装置４０の右下部に配設された第２の装飾部材１５５とに対して、パチンコ球を球回収部に回収する球回収通路ＲＡや第１〜第４球排出通路ＲＢ１〜ＲＢ４が形成される。すなわち、前記第１の装飾部材１５０および第２の装飾部材１５５は、パチンコ球の球排出通路を形成する通路形成部材としても機能している。
【００７６】
(通路形成部材１０１について)
図２６、図３０、図３２、図３３に示すように、前記裏ユニット３５の開口右側部には、前記球案内通路９４の下流端部から放出されたパチンコ球を受け入れて、前記球回収部に排出する球回収通路ＲＡを画成する通路形成部材１０１が配設されている。前記通路形成部材１０１は、後方に開口する箱状に形成された箱状部１０２と、該箱状部１０２の後端上部から上方へ延出する取付板部１０３とを備えており、該通路形成部材１０１の後端部を裏ユニット３５に配設した際に、箱状部１０２の後方開口が裏ユニット３５で閉成されることで、パチンコ球が流下可能な第１の球通路１０４を画成するようになっている。ここで、前記通路形成部材１０１により画成される前記第１の球通路１０４は、前記球回収通路ＲＡの一部を構成するものである。また、前記取付板部１０３には、図２６に示すように、前記排出球演出装置１１０がねじ固定され、前記通路形成部材１０１と排出球演出装置１１０とを一体のユニットとして取り扱い得るようになっている。
【００７７】
そして、前記通路形成部材１０１の取付板部１０３に前記装置本体１１１をねじ止めした状態で、該通路形成部材１０１を裏ユニット３５に固定することで、前記排出球演出装置１１０が裏ユニット３５に配設される。すなわち、前記通路形成部材１０１は、前記排出球演出装置１１０の装置本体１１１を取り付ける取付ベースとして機能している。なお、前記装置本体１１１は、前記通路形成部材１０１の取付板部１０３に対して、後方から前方に向かうにつれて右方向に延在するよう傾斜した傾斜姿勢で取り付けられて、前記第１の可動体１２０が前記球案内通路９４の下流端部から放出されたパチンコ球が描く放物線軌道上に位置している。
【００７８】
また、前記通路形成部材１０１(箱状部１０２)の左側面１０２ｄ(球案内通路９４側の側面)の上端部には、前記第１の球通路１０４に連通する球通入口１０２ａが左方向(球案内通路９４側)に開口するよう形成されている。すなわち、前記排出球演出装置１１０の第１の可動体１２０が開放位置にある状態で前記球案内通路９４の下流端部から放物線を描くよう放出されたパチンコ球が、前記球通入口１０２ａを介して第１の球通路１０４内に通入し得るようになっている。前記第１の球通路１０４は、前記球通入口１０２ａから下方に向けて延在するよう形成されると共に、前記箱状部１０２における第１の球通路１０４の下部側に、前記裏ユニット３５に形成されたホルダ１０５(図３０参照)に取り付けられた球検出センサ１０６が臨むセンサ収容部１０２ｂが形成されており、該第１の球通路１０４を流下したパチンコ球を球検出センサ１０６で検出するよう構成される。なお、実施例では、前記球検出センサ１０６がパチンコ球を検出することで、前記図柄表示装置１７で行なわれる大当り演出の内容が変化するよう設定されると共に、パチンコ機１０に備えたスピーカから出力される効果音を変化させたり、前記可動演出装置４０の第１および第２ＬＥＤ５９,６０やその他パチンコ機１０が備える発光手段の発光色や発光強度を変化させるよう構成されている。
【００７９】
また、前記通路形成部材１０１(箱状部１０２)の左側面１０２ｄの下部位置には、左右方向に開口する球通出口１０２ｅが形成されると共に、前記裏ユニット３５には、前記ホルダ１０５の下方に、前記球検出センサ１０６で検出されたパチンコ球を球通出口１０２ｄへ誘導する誘導片１０７が形成されている。ここで、前記球通出口１０２ｄは、前記第２の装飾部材１５５に形成される第２の球通路１５７(後述)に連通するよう形成されている。すなわち、前記第１の球通路１０４を流下したパチンコ球は、第２の球通路１５７に向けて案内されている。なお、前記通路形成部材１０１には、前記センサ収容部１０２ｂの前端部側から下方に延出する規制板部１０２ｃが形成されて、該規制板部１０２ｃが前記誘導片１０７の前端部に当接して、誘導片１０７の前側にパチンコ球が移動しないよう構成されている。換言すると、前記第１の球通路１０４は、前記通路形成部材１０１および誘導片１０７により形成され、第１の球通路１０４の経路途中に前記球検出センサ１０６が配置されている。
【００８０】
(第１の装飾部材１５０)
前記第１の装飾部材１５０は、図２〜図４に示すように、前記裏ユニット３５の開口左下部に配設されると共に、前記可動演出装置４０の前側に位置するよう配置されている。そして、前記第１の装飾部材１５０の上端部には、図３４〜図３７に示すように、前記可動演出装置４０の前面左下部位置に、円弧状に凹むよう湾曲した湾曲面部１５１が設けられている。ここで、前記湾曲面部１５１の前端部が前記透明板２１の裏面に当接するよう構成されて、該湾曲面部１５１上をパチンコ球が左右方向に転動し得るようになっている。また、前記湾曲面部１５１は、右端部(第２の装飾部材１５５側の端部)に向かうにつれて下方傾斜するよう湾曲形成されており、該湾曲面部１５１上に到来したパチンコ球を、第２の装飾部材１５５に形成される通路部材１６０(後述)に向けて転動させるよう構成される。すなわち、前記湾曲面部１５１は、パチンコ球を球回収部に回収する前記第２の球排出通路ＲＢ２の一部を構成している。
【００８１】
また、図３４に示すように、前記第１の装飾部材１５０には、前記湾曲面部１５１の後端部に、上方に延出する突出板１５２が形成されると共に、該湾曲面部１５１の左端部に、上方に向けて延出する立上がり壁１５３が形成されている。そして、前記突出板１５２の上端面１５２ａには、前記可動演出装置４０の可動部材７０が前記初期位置にある状態で、該可動部材７０の下面となる外側面７２ｂが対向すると共に、該突出板１５２の前面が可動部材７０の前面(針状部７２の前面部)と略同一平面上に位置するよう構成されており、初期位置にある可動部材７０の針状部７２の上面側に到来したパチンコ球を、該針状部７２の外側面７２ｂの傾斜により湾曲面部１５１上に落下させ得るよう構成されている。また、前記突出板１５２の上端面１５２ａも、前方へ向けて下方傾斜するよう形成されており、該突出板１５２の上端面１５２ａ上に到来したパチンコ球を湾曲面部１５１上に落下させるようになっている。
【００８２】
(第２の装飾部材１５５)
前記第２の装飾部材１５５は、図２〜図４に示すように、前記裏ユニット３５の開口右下部に配設されて、前記通路形成部材１０１の前面を第２の装飾部材１５５で覆って装飾するよう構成されている。また、前記第２の装飾部材１５５は、前記可動演出装置４０の前側に位置するよう配置される。前記第２の装飾部材１５５の前面側には、図３３、図３４、図３８、図３９に示すように、上方および前方に開口する凹状部１５６が所要の屈曲形状に形成されており、該凹状部１５６の前方開口を前記透明板２１で塞ぐよう構成され、パチンコ球が通過可能な第２の球通路１５７が画成されるようになっている。なお、前記第２の球通路１５７は、パチンコ球が自重で流下し得るよう経路が上方から下方に延在する屈曲形状となっている。なお、前記凹状部１５６(第２の球通路１５７)の下流端部は、下方に開口する球通出口１５５ｃが開設されると共に、前記裏ユニット３５における凹状部１５６(第２の球通路１５７)の球通出口１５５ｃと整列する位置に、前記球回収部に連通する球出口３５ｂ(図３参照)が上下に貫通するよう開設されており、第２の球通路１５７を通過して球通出口１５５ｃから排出されたパチンコ球が裏ユニット３５の球出口３５ｂを介して球回収部に排出されるようになっている。
【００８３】
また、前記第２の装飾部材１５５には、前記凹状部１５６(第２の球通路１５７)の上端部位置に、第２の球通路１５７に連通する第１の連通口１５５ａが前後に開口するよう形成されると共に、該第１の連通口１５５ａの開口下縁から後方へ向けて突出する突出片１５８が形成されている。この突出片１５８は、前記通路形成部材１０１に形成された第１の球通路１０４の球通出口１０２ｅの開口下方に臨むと共に、前方(第１の連通口１５５ａ)に向けて下方傾斜するよう形成されており、該第１の球通路１０４の球通出口１０２ｅを通入したパチンコ球を突出片１５８で受止めて、前記第１の連通口１５５ａを介して第２の球通路１５７に案内するようになっている。そして、前記第２の球通路１５７を流下したパチンコ球は、該第２の球通路１５７の球通出口１５５ｃを介して裏ユニット３５の球出口３５ｂを介して遊技盤２０の下方に排出されて前記球回収部に回収される。すなわち、前記第２の球通路１５７は、球回収部に連通してパチンコ球を球回収部に排出する球回収通路ＲＡの一部を構成し、実施例では、前記通路形成部材１０１に形成された第１の球通路１０４と、前記第２の装飾部材１５５に形成された第２の球通路１５７とにより球回収通路ＲＡが形成されている。
【００８４】
また、図３３、図３４、図３８、図３９に示すように、前記第２の装飾部材１５５の前面上部には、前記枠状装飾体９０に設けられた球排出通路形成部材９８の球転動面９８ａの傾斜下端部と整合する位置に、前方に突出する傾斜片１５９が形成されている。この傾斜片１５９は、前記枠状装飾体９０に設けられた球排出通路形成部材９８の球転動面９８ａの傾斜下端部に臨むと共に、該球転動面９８ａの傾斜下端部から前記第２の球通路１５７に向けて下方傾斜するよう形成されている。また、前記傾斜片１５９の前端部には、前記透明板２１の裏面が当接するよう構成されて、該傾斜片１５９上をパチンコ球が右方向(第２の球通路１５７)に向けて転動し得るようになっている。
【００８５】
ここで、前記傾斜片１５９の傾斜下端部は、前記第２の球通路１５７の上方開口端部に臨むよう構成されており、前記球案内通路９４から球排出通路形成部材９８の球転動面９８ａに移動したパチンコ球が、前記傾斜片１５９上を転動して第２の球通路１５７に案内され、該第２の球通路１５７を介して前記パチンコ機裏側の球回収部に回収されるようになっている。すなわち、前記球排出通路形成部材９８の球転動面９８ａおよび傾斜片１５９の夫々により形成される通路が、パチンコ球を球回収部に排出する第１の球排出通路ＲＢ１を構成している。ここで、前記第１の球排出通路ＲＢ１は、前記球回収通路ＲＡ(第１の球通路１０４)を通過するパチンコ球を検出する球検出センサ１０６の配設位置よりも下流側となる位置で、該球回収通路ＲＡに連通接続されており、該第１の球排出通路ＲＢ１を通過するパチンコ球が球検出センサ１０６で検出されることはない。
【００８６】
また、前記第２の装飾部材１５５の裏面側には、図３５〜図３８に示すように、前方に開口すると共に前記第１の装飾部材１５０側に開口する断面略コ字状の通路部材１６０が配設されており、該通路部材１６０の前方開口が第２の装飾部材１５５で塞がれることでパチンコ球が通過可能な第３の球通路１６０ａが画成されている。前記通路部材１６０の底面は、前記第１の装飾部材１５０側の端部から離間するにつれて下方傾斜すると共に、該通路部材１６０の底面の傾斜上端部が前記第１の装飾部材１５０に形成された前記湾曲面部１５１の傾斜下端部に整合するよう構成されて、該湾曲面部１５１を転動したパチンコ球が第３の球通路１６０ａに移動するようになっている。また、前記通路部材１６０は、前記第１の連通口１５５ａの形成位置近傍で下方に屈曲するよう折り曲げ形成されている。
【００８７】
また、前記第２の装飾部材１５５における前記第３の球通路１６０ａの下流端部位置には、前記第２の球通路１５７に連通する第２の連通口１５５ｂが前後に開口するよう開設されている。前記第２の連通口１５５ｂは、前記第２の装飾部材１５５の前面側に形成された前記第２の球通路１５７に連通されている。すなわち、前記湾曲面部１５１から前記通路部材１６０の第３の球通路１６０ａに転動したパチンコ球は、前記第２の連通口１５５ｂを介して前記第２の球通路１５７に案内され、該第２の球通路１５７を介して前記パチンコ機裏側の球回収部に回収されるようになっている。すなわち、前記第１の装飾部材１５０の湾曲面部１５１および第２の装飾部材１５５の第３の球通路１６０ａの夫々により形成される通路が、パチンコ球を球回収部に排出する第２の球排出通路ＲＢ２を構成している。ここで、前記第２の球排出通路ＲＢ２は、前記球回収通路ＲＡ(第１の球通路１０４)を通過するパチンコ球を検出する球検出センサ１０６の配設位置よりも下流側となる位置で、該球回収通路ＲＡに連通接続されており、該第２の球排出通路ＲＢ２を通過するパチンコ球が球検出センサ１０６で検出されることはない。
【００８８】
更に、前記第２の装飾部材１５５の裏側には、図３５、図３９等に示すように、前記通路部材１６０の上方位置に、前記第１の装飾部材１５０から離間するにつれて下方傾斜する傾斜案内片１６１が後方に突出するよう形成されている。前記傾斜案内片１６１の傾斜上端部(第１の装飾部材１５０側の端部)は、前記可動演出装置４０のベース部材４１(前ケース体４２)に形成された可動位置規制突部４６の右端部に近接位置すると共に、該傾斜案内片１６１の後端部にベース部材４１(前ケース体４２)の前面が当接するよう構成されて、該傾斜案内片１６１上をパチンコ球が右方向に向けて転動し得るようになっている(図２２または図３５参照)。すなわち、前記可動演出装置４０の可動部材７０(針状部７２)が可動位置まで回転された際には、該可動部材７０(針状部７２)が傾斜案内片１６１に上下に重なるよう位置すると共に、第２の装飾部材１５５により可動部材７０(針状部７２)の前側が覆われて収容されるようになっている。
【００８９】
また、前記傾斜案内片１６１の傾斜下端部は、図３５に示すように、前記突出片１５８の上方に臨むよう構成されており、該傾斜案内片１６１上に到来したパチンコ球は、当該傾斜案内片１６１上を転動して傾斜下端部から突出片１５８上に落下し、該突出片１５８の傾斜によって前記第１の連通口１５５ａを介して第２の球通路１５７に案内され、該第２の球通路１５７を介して前記パチンコ機裏側の球回収部に回収されるようになっている。すなわち、前記傾斜案内片１６１により形成される通路が、パチンコ球を球回収部に排出する第３の球排出通路ＲＢ３を構成している。ここで、前記第３の球排出通路ＲＢ３は、前記球回収通路ＲＡ(第１の球通路１０４)を通過するパチンコ球を検出する球検出センサ１０６の配設位置よりも下流側となる位置で、該球回収通路ＲＡに連通接続されており、該第３の球排出通路ＲＢ３を通過するパチンコ球が球検出センサ１０６で検出されることはない。
【００９０】
図３３、図３４に示すように、前記第２の装飾部材１５５における前記第１の連通口１５５ａの上方位置には、後方へ凹む球受け凹部１６２が形成されている。そして、前記球受け凹部１６２の上方に、前記排出球演出装置１１０(第１の可動体１２０)が配置されており、閉鎖位置から開放位置に揺動した第１の可動体１２０が球受け凹部１６２の内部に臨むことで、該第１の可動体１２０の動作を阻害しないようになっている。また、前記球受け凹部１６２の下端部は、前記第２の球通路１５７の上方開口に臨むよう構成されており、前記球案内通路９４の下流端部から放出されて前記第１の可動体１２０に接触したパチンコ球が球案内通路９４に跳ね返らず落下した際に、前記枠状装飾体９０の傾斜案内部９９や球受け凹部１６２を介して第２の球通路１５７に案内され、該第２の球通路１５７を介して前記パチンコ機裏側の球回収部に回収されるようになっている。すなわち、前記枠状装飾体９０の傾斜案内部９９や前記第２の装飾部材１５５の球受け凹部１６２は、前記第１の可動体１２０との接触時に球案内通路９４に跳ね返らず落下したパチンコ球を排出する第４の球排出通路ＲＢ４を構成している。なお、前記枠状装飾体９０の傾斜案内部９９や前記第２の装飾部材１５５の球受け凹部１６２からのパチンコ球は、前記球回収通路ＲＡ(第１の球通路１０４)を通過するパチンコ球を検出する球検出センサ１０６の配設位置よりも下流側となる第２の球通路１５７に落下するから、該傾斜案内部９９や球受け凹部１６２から落下したパチンコ球が球検出センサ１０６で検出されることはない。
【００９１】
(第３の装飾部材１６４)
また、図３、図３７に示すように、前記裏ユニット３５の開口部３５ａの開口左側部に配設された前記第３の装飾部材１６４には、右下端部に上方に延出する第２の球規制片１６５が形成されている。前記第２の球規制片１６５は、前記可動演出装置４０のベース部材４１の左端部に対向すると共に、該ベース部材４１の上端部より上方へ延出するよう形成されている。また、前記枠状装飾体９０の球誘導路９２に形成された前記第１の球規制片９２ａの下端部が、前記第２の球規制片１６５の上端部に対向すると共に、両端部間をパチンコ球が通過不能となるよう近接位置している。従って、前記第１および第２の球規制片９２ａ,１６５に当接したパチンコ球は、前記可動演出装置４０側に誘導されて、前記第１の装飾部材１５０の湾曲面部１５１に移動するよう構成され、前記第２の球排出通路ＲＢ２(湾曲面部１５１および第３の球通路１６０ａ)および第２の球通路１５７を介して前記パチンコ機裏側の球回収部に回収されるようになっている。
【００９２】
〔実施例の作用〕
次に、前述のように構成された実施例に係るパチンコ機１０の作用につき説明する。
【００９３】
前記遊技盤２０に設けた内外のレール２２ａ,２２ｂに沿って遊技領域２３に打ち出されたパチンコ球は、遊技盤２０上に設けた遊技釘等に接触して流下方向を変更しながら流下する。そして、前記遊技領域２３を流下するパチンコ球が前記始動入賞装置２４に入賞すると、前記図柄表示装置１７において所要の図柄変動演出が開始され、図柄変動演出の結果、図柄表示装置１７に所定の図柄組み合わせが表示されると大当りが発生する。大当りが発生すると、図柄表示装置１７に表示された図柄組み合わせに応じて、前記遊技盤２０の下方に設けられた第１の特別入賞装置２５および前記枠状装飾体９０の上部位置に設けられた第２の特別入賞装置９３の何れかが開放されると共に、図柄表示装置１７において大当り演出が行なわれる。このように、大当りの発生時に開放する特別入賞装置２５,９３を２つ設けたことで、遊技演出の多様化が図られる。更に、図柄変動演出の結果、図柄表示装置１７に小当りを発生する図柄組み合わせが表示されると小当りが発生して、第２の特別入賞装置９３の特別入賞口９３ａが開放されると共に、図柄表示装置１７において小当り演出が行なわれる。すなわち、大当りとは別に小当りを設けることで、遊技演出の更なる多様化を図り得る。
【００９４】
(可動演出装置４０による演出に関して)
そして、前記図柄表示装置１７で展開される図柄変動演出や大当り演出、小当り演出等に応じて前記裏ユニット３５に配設された前記可動演出装置４０が作動されて可動部材７０の動作による演出が行なわれる。すなわち、前記可動演出装置４０に設けられた駆動モータ５０が駆動されることで、前記可動部材７０が初期位置から可動位置に向けて回転動作され、動作終了時に駆動モータ５０の駆動により初期位置に可動部材７０が復帰するようになっている。このとき、図柄表示装置１７で展開される演出内容に応じて初期位置からの可動部材７０の回転角度を適宜変更するよう駆動モータ５０が作動制御されて、可動部材７０の動作による遊技性の多様化を図り、遊技の興趣を高めている。ここで、前記可動部材７０が初期位置にある状態では、前記ベース部材４１の初期位置規制突部４５に当接して位置規制され、可動部材７０が可動位置にある状態では、ベース部材４１の可動位置規制突部４６に当接して位置規制されることで、可動部材７０を所定の初期位置および可動位置で確実に停止させ得るようになっている。
【００９５】
また、前記可動演出装置４０は、前記ベース部材４１の収容空間４８に収容したＬＥＤ基板５８に実装した第１のＬＥＤ５９が前記区画部材６１に形成された各発光体収容部６７の後方開口に臨むと共に、該ＬＥＤ基板５８に実装された第２のＬＥＤ６０がベース部材４１の前ケース体４２を介して前記枠状装飾体９０の遮蔽板９０ｃに対向している。従って、前記区画部材６１の各発光体収容部６７の開口部を覆う前記可動部材７０に向けて第１のＬＥＤ５９の光が照射されると共に、前記ベース部材４１の前ケース体４２を透過した第２のＬＥＤ６０の光が遮蔽板９０ｃに照射される。これにより、前記遮蔽板９０ｃが明輝されて、パチンコ機１０の装飾性が向上される。
【００９６】
また、前記発光体収容部６７の開口部の前方には、前記可動部材７０に設けられた第１反射部材７５の第１反射面７８が位置しているから、該発光体収容部６７を透過した第１のＬＥＤ５９からの光は、該第１反射面７８により針状部７２の形成方向(可動部材７０の回転軸７０ａに交差する方向)に向けて反射される。そして、前記第１反射面７８で反射された反射光が、前記第２反射部材８０の透過壁部８３ａを透過して前記透明部材８５に入射し、該透明部材８５の光拡散部８５ａで拡散された拡散光が第２反射部材８０の反射面部８２(各第２反射面８２ａ)で前記針状部７２の光透過部７３に向けて反射される。このとき、この反射面部８２(各第２反射面８２ａ)で反射された反射光は、該反射面部８２(各第２反射面８２ａ)に対向する前記透明部材８５の光拡散部８５ａで拡散されつつ、前記光透過部７３に照射される。
【００９７】
前記透明部材８５に入射した第１反射面７８で反射された反射光は、該透明部材８５の光拡散部８５ａで拡散されて第２反射部材８０の反射面部８２(各第２反射面８２ａ)に照射される。このため、前記反射面部８２(各第２反射面８２ａ)に対して全面的に光が照射されるから、反射面部８２(各第２反射面８２ａ)の全体で光を反射することになる。更に、前記反射面部８２(各第２反射面８２ａ)からの反射光を透明部材８５の光拡散部８５ａで更に拡散されることで、可動部材７０の光透過部７３の全体を照明することが可能となる。すなわち、第１のＬＥＤ５９により可動部材７０の光透過部７３の全体を照明することができ、光透過部７３に照明斑が現れるのを防止して、略均一の明るさで明輝させることができる。
【００９８】
そして、前記発光体収容部６７は、図１５〜図１８に示すように、前記区画部材６１に対して可動部材７０の回転方向に離間する複数箇所(実施例では３つ)に形成され、可動部材７０の回転に伴って前記第１反射面７８が発光体収容部６７の開口部に順次臨むよう構成したから、可動部材７０を回転させたとしても、第１反射面７８が臨む発光体収容部６７に収容された第１のＬＥＤ５９を発光させることで可動部材７０の光透過部７３を明輝させることができる。すなわち、可動部材７０自体にＬＥＤ等の発光体を設けることなく該可動部材７０の光透過部７３を発光させ得るから、可動部材７０の軽量化や小型化を図り得る。また、可動部材７０に発光体を備えた場合には、発光体に接続する配線の絡まりや断線を防止するために、可動部材７０の動作や配線の取り回しに制約を受けることになるが、実施例のように、ベース部材４１側に設けた第１のＬＥＤ５９からの光により光透過部７３を発光させることで、配線の絡まりや断線が生ずることはなく、可動部材７０の動作が制限されることはない。
【００９９】
また、図１８に示すように、前記可動部材７０の回転に伴い、前記第１反射面７８が前記区画部材６１の仕切り壁６６,６６の前方に位置した場合には、隣接する２つの発光体収容部６７の開口前方に第１反射面７８が臨む。このため、前記第１反射面７８が前記区画部材６１の仕切り壁６６,６６の前方に位置に可動部材７０が回転移動した場合に、前記光透過部７３の輝度が低下するのを防止することができる。更に、前記区画部材６１は、前記発光体収容部６７を区画する仕切り壁６６,６６を、前記ＬＥＤ基板５８の前面から離間するよう構成されているから、仕切り壁６６,６６とＬＥＤ基板５８との間の隙間から第１のＬＥＤ５９の光が隣接する発光体収容部６７にも入射され、前記可動部材７０の回転に伴った光透過部７３の輝度の低下を防止できる。
【０１００】
そして、前記第２反射部材８０の後板部８１を、前記第１反射部材７５の第１反射面７８に近接する端部から離間するにつれて前記光透過部７３側に近接するよう傾斜させると共に、反射面部８２を構成する第２反射面８２ａの光透過部７３側の端部から光透過部７３までの距離Ｌを、第１反射面７８から離間するにつれて漸減させたことで、第１反射面７８で反射された反射光を、反射面部８２の第１反射面７８から離間する端部側(すなわち針状部７２の先端側)に位置する第２反射面８２ａまで到達させることができる。これにより、前記第１反射面７８で反射された光を反射面部８２の全体に照射することができ、該反射面部８２で反射された光により光拡散部８５ａの全体を均一な明るさで照明し得るようになる。また、実施例では、前記光透過部７３と反射面部８２との間に配置された透明部材８５も、前記第１反射部材７５の第１反射面７８に近接する端部から離間するにつれて前記光透過部７３側に近接するよう傾斜させてあるから、該透明部材８５の光拡散部８５ａで拡散された光を反射面部８２に対して略均一に照射され、可動部材７０の光透過部７３の全体を、より均一な明るさで明輝することが可能となる。
【０１０１】
また、前記第２反射部材８０を透明な合成樹脂により形成したことで、前記第２反射面８２ａに照射された光は、該第２反射面８２ａで反射される一方で、一部は第２反射面８２ａを透過することになる。これにより、前記第１反射面７８から離間する端部側(すなわち針状部７２の先端側)に位置する第２反射面８２ａに対して十分な光量で光を照射できるようになる。更に、前記第２反射部材８０の外面(後板部８１および外周壁８３の外面)に光反射加工を施したことで、反射面部８２(第２反射面８２ａ)を透過した光が第２反射部材８０の外部に漏れ出ることを防止すると共に、第１反射面７８からの反射光の全量を光透過部７３に向けて反射することができ、反射効率の向上を図り得る。
【０１０２】
(排出球演出装置１１０による演出に関して)
また、前記図柄表示装置１７で展開される図柄変動演出や大当り演出、小当り演出等に応じて前記裏ユニット３５に配設された前記排出球演出装置１１０が作動されて第１および第２の可動体１２０,１４２の動作による演出が行なわれる。すなわち、前記第１の可動体１２０が閉鎖位置にある状態では、前記排出球演出装置１１０の駆動モータ１１５が駆動され、前記作動部材１３７が前記第１の可動体１２０の開放方向(図３１の反時計回り)に回転されると、該作動部材１３７の扇状切欠部１３８を画成する押圧端面１３８ａが第１の可動体１２０に設けた係合突部１２２ｂに当接して下方に押し下げるよう押圧する。すなわち、前記押圧端面１３８ａが係合突部１２２ｂを押圧する方向(図３１の反時計回り)に前記作動部材１３７が回転することで、前記引張りバネ１２８の付勢力に抗して第１の可動体１２０が閉鎖位置から開放位置に向けて回転される。
【０１０３】
反対に、前記第１の可動体１２０が開放位置にある状態で前記排出球演出装置１１０の駆動モータ１１５が駆動されて、前記作動部材１３７が前記第１の可動体１２０の閉鎖方向(図３１の時計回り)に回転されると、該押圧端面１３８ａが係合突部１２２ｂから離間する方向に移動する。従って、前記押圧端面１３８ａが係合突部１２２ｂから離間する方向(図３１の時計回り)に前記作動部材１３７が回転することで、前記引張りバネ１２８の付勢力により第１の可動体１２０が開放位置から閉鎖位置に向けて回転される。そして、前記作動部材１３７が原位置に復帰すると、該作動部材１３７に設けた位置検出片１３７ｃを前記位置検出センサ１３９が検出して駆動モータ１１５が停止される。このとき、前記第１の可動体１２０は、前記引張りバネ１２８の付勢力により初期位置に復帰することになる。すなわち、前記作動部材１３７の原位置を位置検出センサ１３９が検出することで、該作動部材１３７の動作に追従して閉鎖位置と開放位置との間を動作される第１の可動体１２０を閉鎖位置に保持することができる。
【０１０４】
また、前記第１の可動体１２０には、前記係合突部１２２ｂが形成された前側固定板１２５にアーム部１２６ａが一体形成されて、前記第２の可動体１４２を枢支する第２シャフト１４４に連結された揺動アーム部材１４３の長孔１４３ａに挿入するよう構成されている。このため、前記駆動モータ１１５の駆動に伴って前記第１の可動体１２０が揺動されると前記アーム部１２６ａが一体的に揺動され、これに伴って前記揺動アーム部材１４３も揺動されて第２の可動体１４２も揺動することになる。すなわち、前記排出球演出装置１１０の駆動モータ１１５を正逆回転することで、前記第１の可動体１２０および第２の可動体１４２を一度に揺動して演出を行なうことができ、可動演出装置４０による演出態様が多様化して遊技の興趣の向上を図り得る。そして、前記第１の可動体１２０および第２の可動体１４２を動作させる駆動モータ１１５を個別に設ける必要がなく、排出球演出装置１１０を小型化し得ると共に、コスト削減を図り得る利点がある。
【０１０５】
また、前記第２の特別入賞装置９３を開放する大当りが発生すると、該第２の特別入賞装置９３の特別入賞口９３ａに入賞したパチンコ球が球案内通路９４を流下して、該球案内通路９４の下流端部から放出される。ここで、前記球案内通路９４や可動演出装置４０、排出球演出装置１１０の夫々が、図柄表示装置１７が臨む枠状装飾体９０の開口内縁に位置することになるから、図柄表示装置１７で行なわれる演出や球案内通路９４を転動するパチンコ球の動き、可動演出装置４０における可動部材７０の動作、更には排出球演出装置１１０の第１および第２の可動体１２０,１４２の動作を、視線を大きく移動することなく視界に捉えることができるから、図柄表示装置１７で行なわれる演出や、パチンコ球の動きによる演出、可動部材７０や各可動体１２０,１４２の動作による演出の夫々の演出に対して遊技者の注意を惹き付けることができ、遊技の興趣の向上を図り得る。また、図柄表示装置１７が臨む枠状装飾体９０に第２の特別入賞装置９３を配設することで、該第２の特別入賞装置９３へのパチンコ球の入賞状況を直接目視する際の視線移動も少なくできる。
【０１０６】
ところで、前記排出球演出装置１１０は、前記球案内通路９４の下流端部から放出されるパチンコ球の軌跡上に位置しているから、第２の特別入賞装置９３にパチンコ球が入賞すると多数のパチンコ球が排出球演出装置１１０の第１の可動体１２０に向けて放出されることになる。ここで、前記第１の可動体１２０が前記通路形成部材１０１に形成された球通入口１０２ａを閉鎖する閉鎖位置にある状態では、前記作動部材１３７における扇状切欠部１３８の内側に前記係合突部１２２ｂが臨み、該係合突部１２２ｂが押圧端面１３８ａに対して離間する方向(すなわち第１の可動体１２０が開放位置に向けて揺動する方向)に移動可能に当接している。このため、前記球案内通路９４の下流端部から放出されたパチンコ球が、前記球通入口１０２ａを閉鎖する第１の可動体１２０に接触した際には、パチンコ球が接触した衝撃により押圧端面１３８ａから係合突部１２２ｂが離間するように閉鎖位置から開放位置に向けて第１の可動体１２０が移動され得る。これにより、パチンコ球が第１の可動体１２０に接触した衝撃を緩和でき、係合突部１２２ｂや作動部材１３７が損傷するのを防止できる。また、前記第１の可動体１２０は、引張りバネ１２８により閉鎖位置に向けて付勢されているから、パチンコ球が接触した衝撃により第１の可動体１２０が押圧端面１３８ａから係合突部１２２ｂが離間するように開放位置に向けて回転されたとしても、該引張りバネ１２８の付勢力により第１の可動体１２０を閉鎖位置に復帰でき、第１の可動体１２０が位置ずれした姿勢のまま保持されることはない。
【０１０７】
このように、簡単な構成で第１の可動体１２０や作動部材１３７を構成することで、パチンコ球が第１の可動体１２０に接触する衝撃を効果的に緩和し、第１の可動体１２０を動作させる機構の損傷や、第１の可動体１２０の位置ずれを防止できる。同様に、第１の可動体１２０に連動して第２の可動体１４２が動作するから、第１の可動体１２０が閉鎖位置にある状態で第２の可動体１４２に衝撃が作用した際には、押圧端面１３８ａから係合突部１２２ｂが離間する方向に第１の可動体１２０が移動され、第２の可動体１４２に作用する衝撃を緩和でき、第１の可動体１２０に設けたアーム部１２６ａや揺動アーム部材１４３が損傷したり、第２の可動体１４２の位置ずれを防止できる。
【０１０８】
ここで、前述のように、パチンコ球が接触した衝撃により前記押圧端面１３８ａから係合突部１２２ｂが離間するように閉鎖位置から開放位置に向けて第１の可動体１２０が揺動されたとしても、前記作動部材１３７は回転することなく原位置に保持される。従って、前記作動部材１３７の原位置を位置検出センサ１３９が検出することで、パチンコ球の接触により第１の可動体１２０が揺動されたとしても、作動部材１３７に設けられた位置検出片１３７ｃの位置検出センサ１３９による検出状態が変化しないから、パチンコ球の接触により動作した第１の可動体１２０を閉鎖位置に復帰させるための特別な制御を不要にでき、制御系の負荷軽減を図り得る。
【０１０９】
(第２の特別入賞装置９３に入賞したパチンコ球の排出に関して)
次に、前記第２の特別入賞装置９３に入賞したパチンコ球の排出に関して説明する。前記第２の特別入賞装置９３の特別入賞口９３ａに入賞したパチンコ球は、前記球案内通路９４を流下して下流端部から放出される。このとき、前記排出球演出装置１１０の第１の可動体１２０が開放位置にある場合には、放出されたパチンコ球は、第１の可動体１２０と装置本体１１１とにより画成される通過口１２０ｂを介して前記通路形成部材１０１の球通入口１０２ａに通入する。前記球通入口１０２ａに通入したパチンコ球は、前記通路形成部材１０１に形成される第１の球通路１０４を流下する過程で裏ユニット３５のホルダ１０５に保持された球検出センサ１０６で検出された後に、該裏ユニット３５に形成された誘導片１０７および前記第２の装飾部材１５５に形成された突出片１５８を転動して前記第２の球通路１５７に案内され、該第２の球通路１５７を流下したパチンコ球が前記パチンコ機１０の裏側に設けられた球回収部に回収される。すなわち、前記排出球演出装置１１０の第１の可動体１２０が開放位置にある状態で前記球案内通路９４を流下して下流端部から放出されたパチンコ球は、前記球回収通路ＲＡ(第１の球通路１０４および第２の球通路１５７)を介して球回収部に回収される。
【０１１０】
一方、前記排出球演出装置１１０の第１の可動体１２０が閉鎖位置にある状態で前記球案内通路９４の下流端部から放出されたパチンコ球は、該第１の可動体１２０に接触して球案内通路９４に跳ね返される。前記球案内通路９４に跳ね返されたパチンコ球は、該球案内通路９４の最下点に形成された球排出口９６を介して前記球排出通路形成部材９８に形成される第１の球排出通路ＲＢ１(球排出通路形成部材９８の球転動面９８ａおよび第２の装飾部材１５５の第３の球通路１６０ａ)を転動する。そして、前記第１の球排出通路ＲＢ１は、前記第２の球通路１５７の上方開口に連通していることから、前記球案内通路９４に跳ね返されたパチンコ球は、前記第１の球排出通路ＲＢ１から第２の球通路１５７(球回収通路ＲＡ)に案内され、該第２の球通路１５７を流下したパチンコ球が前記パチンコ機１０の裏側に設けられた球回収部に回収される。
【０１１１】
ここで、前記通路形成部材１０１には、前記裏ユニット３５に形成されたホルダ１０５に保持された球検出センサ１０６を収容するセンサ収容部１０２ｂが形成されて、前記第１の球通路１０４を流下するパチンコ球を検出するようになっている。また、前記第１の球排出通路ＲＢ１は、前記球回収通路ＲＡにおいて前記球検出センサ１０６の下流側となる第２の球通路１５７に連通するから、該第１の球排出通路ＲＢ１を流下するパチンコ球が球検出センサ１０６で検出されることはない。すなわち、前記球通入口１０２ａを介して球回収通路ＲＡ(第１の球通路１０４)を通過するパチンコ球を、前記第１の球排出通路ＲＢ１を介して球回収通路ＲＡ(第２の球通路１５７)を通過するパチンコ球と区別し得る。これにより、第１の可動体１２０が開放したタイミングで排出球演出装置１１０まで到達したパチンコ球が球通入口１０２ａを通過して球回収通路ＲＡを流下した場合と、第１の可動体１２０が閉鎖したタイミングでパチンコ球が可動演出装置４０まで到達した結果、第１の球排出通路ＲＢ１を介して球回収通路ＲＡに流下した場合とで、遊技の演出内容(例えば効果音や図柄表示装置１７における表示)を変化させることができ、球案内通路９４を転動するパチンコ球や可動部材７０の開閉動作に対する注意を高め、遊技の興趣を向上し得る。
【０１１２】
また、前記球案内通路９４には、前記第１の球排出通路ＲＢ１が連通する前記球排出口９６よりも上流側に、下流側に向かうにつれて前方に突出する誘導部９７を形成し、球案内通路９４上を前記排出球演出装置１１０に向けて転動するパチンコ球を誘導部９７に沿って球排出口９６から離間する方向(前方)に誘導するようにしたことで、第２の特別入賞装置９３に入賞したパチンコ球が排出球演出装置１１０まで転動する途中で球排出口９６から第１の球排出通路ＲＢ１に排出されるのを防止できる。従って、第２の特別入賞装置９３に入賞したパチンコ球と、排出球演出装置１１０の第１の可動体１２０の動作とを利用した演出を効果的に行なうことができる。
【０１１３】
そして、前記球案内通路９４(排出球演出領域９４ｂ)の前面壁９５ｂを前記排出球案内領域９４ａから球案内通路９４の下流端部に向かうにつれて前方に傾斜させて、該球案内通路９４の前後幅を拡大すると共に、球案内通路９４の前後幅を最大でパチンコ球の直径２個分以上に設定したことで、当該球案内通路９４を排出球演出装置１１０に向けて転動するパチンコ球と、該排出球演出装置１１０で跳ね返されて球案内通路９４を転動する戻り球との球案内通路９４上での衝突を回避でき、排出球演出装置１１０に向けて転動するパチンコ球が減勢されるのを防止し得る。従って、第２の特別入賞装置９３に入賞したパチンコ球が球案内通路９４の下流端部まで効率よく流下し、球案内通路９４の下流端部まで到来したパチンコ球と、前記排出球演出装置１１０の動作とを利用した演出を行なうことができる。また、前記球案内通路９４の前後幅がパチンコ球の直径２個分以上となっていない位置に、排出球演出装置１１０に向けて転動するパチンコ球と、該排出球演出装置１１０で跳ね返されて球案内通路９４を転動する戻り球とが同時に到来した場合には、該球案内通路９４上でのパチンコ球の衝突が発生する。このように、球案内通路９４上でのパチンコ球がすれ違ったり衝突したりしてパチンコ球の動きが複雑になり、該球案内通路９４を転動するパチンコ球に対する遊技者の注意が高められ、遊技の演出効果の向上が図られる。
【０１１４】
また、前記球案内通路９４を転動するパチンコ球(戻り球も含む)は、パチンコ球同士の接触や、前記排出球演出装置１１０の第１の可動体１２０との接触等に起因して、前記球案内通路９４の後面壁９５ａや球排出通路形成部材９８の後規制板９８ｂ、あるいは球排出通路形成部材９８の側部規制板９８ｃを飛び越えて、前記可動演出装置４０の配設領域(裏ユニット３５側)に移動することがあり得る。ここで、前記可動演出装置４０の配設領域において、前記可動部材７０の基部７１よりも左側の領域(初期位置にある可動部材７０が位置する領域)に移動したパチンコ球は、初期位置の可動部材７０上か、前記第１の装飾部材１５０の突出板１５２の上端面１５２ａあるいは第１の装飾部材１５０の湾曲面部１５１上に落下することになる。このとき、初期位置にある可動部材７０の上面となる針状部７２の外側面７２ｂおよび第１の装飾部材１５０の突出板１５２の上端面１５２ａは、何れも前方に向けて下方傾斜しているから、最終的にパチンコ球が第１の装飾部材１５０の湾曲面部１５１上に落下する。
【０１１５】
すなわち、前記可動部材７０の基部７１よりも左側の領域(初期位置にある可動部材７０が位置する領域)に移動したパチンコ球は、第２の球排出通路ＲＢ２(第１の装飾部材１５０の湾曲面部１５１および第３の球通路１６０ａ)を転動する。前記第２の球排出通路ＲＢ２は、前記第３の球通路１６０ａの下流端部において第２の連通口１５５ｂを介して前記第２の球通路１５７(球回収通路ＲＡ)に案内され、該第２の球通路１５７を流下したパチンコ球が前記パチンコ機１０の裏側に設けられた球回収部に回収される。ここで、前記第２の球排出通路ＲＢ２は、前記球回収通路ＲＡにおいて前記球検出センサ１０６の下流側となる第２の球通路１５７に連通するから、該第２の球排出通路ＲＢ２を流下するパチンコ球が球検出センサ１０６で検出されることはない。従って、第２の球排出通路ＲＢ２を介して球回収通路ＲＡ(第２の球通路１５７)を通過するパチンコ球を、球通入口１０２ａを介して球回収通路ＲＡ(第１の球通路１０４)を通過するパチンコ球と区別することができる。
【０１１６】
また、前記可動演出装置４０の配設領域において、前記可動部材７０の基部７１よりも右側の領域(可動位置にある可動部材７０が位置する領域)に到来したパチンコ球は、可動部材７０が初期位置にある状態では前記第２の装飾部材１５５に形成された傾斜案内片１６１(第３の球排出通路ＲＢ３)上に落下する。前記第３の球排出通路ＲＢ３は、前記第２の装飾部材１５５に形成された突出片１５８の上方で開口することから、該第３の球排出通路ＲＢ３を転動したパチンコ球が突出片１５８上に落下し、前記第１の連通口１５５ａを介して第２の球通路１５７(球回収通路ＲＡ)に案内され、該第２の球通路１５７を流下したパチンコ球が前記パチンコ機１０の裏側に設けられた球回収部に回収される。ここで、前記第３の球排出通路ＲＢ３は、前記球回収通路ＲＡにおいて前記球検出センサ１０６の下流側となる第２の球通路１５７に連通するから、該第３の球排出通路ＲＢ３を流下するパチンコ球が球検出センサ１０６で検出されることはない。従って、第３の球排出通路ＲＢ３を介して球回収通路ＲＡ(第２の球通路１５７)を通過するパチンコ球を、球通入口１０２ａを介して球回収通路ＲＡ(第１の球通路１０４)を通過するパチンコ球と区別することができる。
【０１１７】
一方、前記可動演出装置４０の可動部材７０が可動位置にある状態では、可動部材７０の基部７１よりも右側の領域に移動したパチンコ球は、可動位置にある可動部材７０の上面となっている外側面７２ｂ上に停留することになる。ここで、前記可動部材７０は、所定の動作が終了すると初期位置に復帰するよう回転されるから、可動部材７０の傾斜方向が基部７１に対して左側に傾倒したタイミングで、可動部材７０の外側面７２ｂ上にあるパチンコ球が前記第１の装飾部材１５０の突出板１５２の上端部１５２ａ上に誘導され、前述と同様に前記第２の球排出通路ＲＢ２(湾曲面部１５１および通路部材１６０の第３の球通路１６０ａ)を介して第２の球通路１５７に案内されることになる。すなわち、前記可動部材７０の基部７１よりも右側の領域(可動位置にある可動部材７０が位置する領域)に到来したパチンコ球は、前記可動部材７０の回動位置に応じて前記第２の球排出通路ＲＢ２または第３の球排出通路ＲＢ３を介して前記第２の球通路１５７(球回収通路ＲＡ)に案内され、該第２の球通路１５７(球回収通路ＲＡ)を介してパチンコ機１０の球回収部に回収される。ここで、前記第２の球排出通路ＲＢ２は、前記球回収通路ＲＡにおいて前記球検出センサ１０６の下流側となる第２の球通路１５７に連通するから、該第２の球排出通路ＲＢ２を流下するパチンコ球が球検出センサ１０６で検出されることはない。
【０１１８】
また、前記球案内通路９４の下流端部から放出されて排出球演出装置１１０(第１の可動体１２０)に接触したパチンコ球が球案内通路９４に跳ね返らずに排出球演出装置１１０(第１の可動体１２０)の下方に落下した場合には、前記枠状装飾体９０の傾斜案内部９９か、前記第２の装飾部材１５５の球受け凹部１６２にパチンコ球が落下する。ここで、前記傾斜案内部９９の傾斜下端部および球受け凹部１６２の下端部は、何れも前記第２の球通路１５７の上方開口に臨むよう構成されているから、排出球演出装置１１０(第１の可動体１２０)の下方に落下したパチンコ球は、前記第２の球通路１５７(球回収通路ＲＡ)に案内され、該第２の球通路１５７を流下したパチンコ球が前記パチンコ機１０の裏側に設けられた球回収部に回収される。ここで、前記第２の球排出通路ＲＢ２は、前記球回収通路ＲＡにおいて前記球検出センサ１０６の下流側となる第２の球通路１５７に連通するから、該第２の球排出通路ＲＢ２を流下するパチンコ球が球検出センサ１０６で検出されることはない。
【０１１９】
すなわち、前記球案内通路９４や第１の球排出通路ＲＢ１を転動するパチンコ球が可動演出装置４０(可動部材７０)の配設側に零れたとしても、第２の球排出通路ＲＢ２や第３の球排出通路ＲＢ３を介して球回収部に回収できるから、可動演出装置４０(可動部材７０)の配設領域にパチンコ球が残留するのを防止でき、パチンコ機１０の見栄えが低下するのを防止できる。同様に、球案内通路９４の下流端部から放出されて第１の可動体１２０に接触したパチンコ球が該球案内通路９４に跳ね返らず落下したとしても、傾斜案内部９９や球受け凹部１６２を介して球回収部に回収でき、可動演出装置４０(可動部材７０)の配設領域にパチンコ球が残留するのを防止し得る。また、可動演出装置４０(可動部材７０)の配設領域にパチンコ球が残留しないから、可動部材７０の動作時にパチンコ球の挟み込み等の不具合が発生するのを好適に防止でき、可動演出装置４０の故障等を防ぐことができる。更に、前記第２の球排出通路ＲＢ２や第３の球排出通路ＲＢ３を介してパチンコ球を球回収部に回収し得るようにしたことで、可動演出装置４０の配設領域と球案内通路９４および第１の球排出通路ＲＢ１とを区画する仕切り部材を必要以上に大きくする必要がない。すなわち、実施例のように、可動演出装置４０の配設領域と第１の球排出通路ＲＢ１とを区画する後規制板９８ｂを、可動演出装置４０を覆う形状に形成して図柄表示装置１７と重ならないようにでき、図柄表示装置１７の視認性低下を防止できる。
【０１２０】
また、前記枠状装飾体９０の球誘導路９２に、枠状装飾体９０と裏ユニット３５との間の隙間を遮蔽する第１の球規制片９２ａを形成すると共に、該球規制片９２ａの下端部側に、該端部との間をパチンコ球が通過不能となるよう近接させて前記第２の球規制片１６５を形成してある。従って、前記第１および第２の球規制片９２ａ,１６５に当接したパチンコ球は、該第１および第２の球規制片９２ａ,１６５に沿って前記第２の球排出通路ＲＢ２(湾曲面部１５１および第３の球通路１６０ａ)に落下して、前述と同様に前記第２の連通口１５５ｂを介して前記第２の球通路１５７(球回収通路ＲＡ)に案内されてパチンコ機１０の裏側の球回収部に回収される。これにより、パチンコ球同士の接触や、前記排出球演出装置１１０の第１の可動体１２０との接触等に起因して、前記球案内通路９４の後面壁９５ａや球排出通路形成部材９８の後規制板９８ｂ、あるいは球排出通路形成部材９８の側部規制板９８ｃを飛び越えて、前記可動演出装置４０の配設領域(裏ユニット３５側)に移動したとしても、透明板２１(枠状装飾体９０)と裏ユニット３５との間の空間にパチンコ球が進入するのを確実に防止すると共に、パチンコ球をパチンコ機１０の裏側の球回収部に回収することが可能となる。すなわち、実施例に係るパチンコ機では、前記第２の特別入賞装置９３に入賞したパチンコ球を、球回収部まで確実に回収することができる。
【０１２１】
〔変更例〕
なお、遊技機の構成としては、実施例のものに限らず、種々の変更が可能であり、以下にその一例を示す。
(１)  実施例では、前記第２反射部材の反射面部に、前記第１反射部から離間するにつれて前記光透過部側に近接するよう傾斜する第２反射面を、該第１反射部からの反射光の照射方向に複数形成し、該第２反射面の光透過部側の端部から光透過部までの距離を、第１反射部から離間するにつれて漸減させるよう構成したが、これに限られるものではない。例えば、図４０に示すように反射面部８２を平面状に形成すると共に、該反射面部８２自体が第１反射面７８に近接する端部から離間するにつれて光透過部７３側に近接するよう傾斜するよう構成することもできる。この場合も、実施例と同様に、光透過部７３の全体を略均一な明るさで照明することができる。
(２)  実施例では、透明部材における光拡散部の形成面を、第２反射部材の反射面部(第２反射面)に近接させて、該透明部材の光拡散部で拡散された光が反射面部に照射されるよう構成したが、図４１に示すように、透明部材８５における光拡散部８５ａの形成面を、第２反射部材８０の反射面部８２(第２反射面８２ａ)から離間させて、前記第１反射面７８からの反射光を反射面部８２(第２反射面８２ａ)に直接照射させ、該反射面部８２(第２反射面８２ａ)からの反射光を透明部材８５の光拡散部８５ａで拡散して光透過部７３に照射するよう構成することもできる。この場合も、実施例と同様に、光透過部７３の全体を略均一な明るさで照明することができる。
(３)  実施例では、可動演出装置に設けられる区画部材に、３つの発光体収容部を設けるよう構成したが、２つあるいは４つ以上の発光体収容部を形成するようにしてもよい。
(４)  実施例では、区画部材の各発光体収容部に臨む発光体(ＬＥＤ)の発光色を同じにしたが、これに限らず、各発光体収容部に臨む発光体の発光色を異ならせるようにしてもよい。この場合には、可動部材の回転角度に応じて可動部材の光透過部に照射される発光色が変化するから、遊技性をより一層多様化して遊技の興趣を向上することが可能となる。また、可動部材に設けられた第１反射部(第１反射面)が発光体収容部を区画する仕切り壁の前側に位置して、該第１反射部が２つの発光体収容部に臨む場合には、各発光体収容部に臨む発光体の発光色が混ざり合った状態で光透過部に照射することができる。
(５)  実施例では、区画部材の各仕切り壁を発光体よりも前方に位置させて、各発光の発光時に隣接する発光体収容部に光が入射し得るよう構成したが、これに限らず、該仕切り壁を発光体基板に当接させる等により発光体収容部を発光体毎に完全に区画して、隣接する発光体収容部に光が入射し得ないよう構成することもできる。これにより、各発光体収容部の開口部から照射される光の強度を高めることができ、可動部材の光透過部からより強い光を透過させることが可能となる。
(６)  実施例では、可動演出装置を裏ユニットの開口下部に配設するようにしたが、これに限られるものではなく、裏ユニットの開口上部や開口側部に配設してもよく、また、透明板に設けられた枠状装飾体に配設するようにしてもよい。すなわち、可動演出装置は、可動部材の動作を遊技機の前方から視認可能な位置に配設されていればよい。
(７)  実施例では、遊技盤を透明板と裏ユニットとから構成したが、ベニヤ板等により遊技盤を形成してもよい。
(８)  駆動手段の駆動により可動部材を回転させる伝達手段としては、実施例に示した歯車機構に限られるものではなく、ベルト機構やリンク機構、その他従来公知の各種機構を採用し得ることは当然である。
(９)  実施例では、可動部材に対して第１反射部を設けた反射部材(第１反射部材)を取り付けるようにしたが、可動部材に第１反射部を直接設けることも可能である。
(１０)  実施例では、可動部材を支持装置等の指針を模した形状に形成したが、これに限られるものではなく、任意の形状に形成することができる。
(１１)  実施例では、第１の可動体に第１係合部として係合突部を突設すると共に、作動部材における扇状切欠部を画成する端面を第２係合部として設けるよう構成したが、第１係合部および第２係合部の形状・構成がこれに限られるものではなく、第１の可動体に設けられる第１係合部および作動部材側に設けられる第２係合部が離間可能に当接して、作動部材の回転に伴って第２係合部が第１係合部を押圧して第１の可動体を閉鎖位置から開放位置に向けて移動させるよう構成すればよい。例えば、第１係合部として孔を第１の可動体に形成し、第２係合部として該孔より小径な突起部を形成して、突起部を孔に挿入するようにしても実施例と同様の作用効果を期待し得る
(１２)  実施例では、第１の可動体を回転(揺動)するよう構成したが、これに限られるものではなく、例えばスライド移動するよう形成してもよく、球通入口を閉鎖する閉鎖位置と該球通入口を開放する開放位置との間を往復移動可能に形成すれば、第１の可動体の動作態様が限定されるものではない。
(１３)  実施例では、作動手段として作動部材を回転させることで第２係合部が第１係合部を押圧するよう構成したが、これに限らず、作動部材をスライド移動するよう構成してもよい。また、作動手段としては、実施例のような回転板に限られるものではなく、各種のリンク機構やカム機構等、従来公知の機構を採用できる。
(１４)  実施例では、枠状装飾体の上部に、入賞口を開閉部材で開閉する形態の入賞装置(第２の特別入賞装置)を配設したが、これに限らず、開閉部材を備えずに入賞口を常時開放する形態の入賞装置を設けるようにしてよい。
(１５)  実施例では、排出球演出装置を枠状装飾体の開口右下部に位置するよう配設したが、前記枠状装飾体に設けられる入賞装置の入賞口よりも下方に排出球演出装置が位置していればよい。
(１６)  実施例では、第１〜第３の球排出通路を球案内通路の下流端部から放出された遊技球が通入する球回収通路に合流させるよう構成したが、これに限られるものではく、第１〜第３の球排出通路を球回収通路から完全に独立した通路としてもよい。
(１７)  第１の球排出通路(球排出通路)の形状・構成は、実施例のものに限られるものではなく、球案内通路から分岐するよう形成されれば、任意の形状・構成とすることができる。同様に、第２の球排出通路(第２の球回収通路)に関しても、前記第１位置にある前記可動部材側(すなわち球案内通路において入賞装置から第１の球排出通路との分岐位置までの領域と図柄表示装置との間)に到来した遊技球を前記球回収部に排出し得る形状・構成に形成すればよく、第３の球排出通路(第３の球回収通路)に関しても、前記第２位置にある前記可動部材側(球案内通路において第１の球排出通路との分岐位置から球案内通路の下流端部までの領域と図柄表示装置との間)に到来した遊技球を前記球回収部に排出し得る形状・構成であればよい。
(１８)  実施例では、遊技機としてパチンコ機を例示して説明したが、これに限られるものではなく、アレンジボール機やピンボール機、スロットマシン機等の各種遊技機を採用し得る。
【符号の説明】
【０１２２】
１７  図柄表示装置
２０  遊技盤
２１  透明板
３５  裏ユニット(裏部材)
２３  遊技領域
７０  可動部材
９０  枠状装飾体
９２ａ  第１の球規制片(規制部)
９３  第２の特別入賞装置(入賞装置)
９３ａ  特別入賞口(入賞口)
９４  球案内通路
９５ａ  後面壁(壁部)
９６ａ  球排出口(接続口)
９８ｂ  後規制版(壁部)
１０２ａ  球通入口
１０６  球検出センサ(球検出手段)
１１０  排出球演出装置
１２０  第１の可動体(可動体)
ＲＡ  球回収通路(第１の球回収通路)
ＲＢ１  第１の球排出通路(球排出通路)
ＲＢ２  第２の球排出通路(第２の球回収通路)
ＲＢ３  第３の球排出通路(第３の球回収通路)
ＲＢ４  第４の球排出通路(第３の球回収通路)
【図１】
2011015759.tif 000003
【図２】
2011015759.tif 000004
【図３】
2011015759.tif 000005
【図４】
2011015759.tif 000006
【図５】
2011015759.tif 000007
【図６】
2011015759.tif 000008
【図７】
2011015759.tif 000009
【図８】
2011015759.tif 000010
【図９】
2011015759.tif 000011
【図１０】
2011015759.tif 000012
【図１１】
2011015759.tif 000013
【図１２】
2011015759.tif 000014
【図１３】
2011015759.tif 000015
【図１４】
2011015759.tif 000016
【図１５】
2011015759.tif 000017
【図１６】
2011015759.tif 000018
【図１７】
2011015759.tif 000019
【図１８】
2011015759.tif 000020
【図１９】
2011015759.tif 000021
【図２０】
2011015759.tif 000022
【図２１】
2011015759.tif 000023
【図２２】
2011015759.tif 000024
【図２３】
2011015759.tif 000025
【図２４】
2011015759.tif 000026
【図２５】
2011015759.tif 000027
【図２６】
2011015759.tif 000028
【図２７】
2011015759.tif 000029
【図２８】
2011015759.tif 000030
【図２９】
2011015759.tif 000031
【図３０】
2011015759.tif 000032
【図３１】
2011015759.tif 000033
【図３２】
2011015759.tif 000034
【図３３】
2011015759.tif 000035
【図３４】
2011015759.tif 000036
【図３５】
2011015759.tif 000037
【図３６】
2011015759.tif 000038
【図３７】
2011015759.tif 000039
【図３８】
2011015759.tif 000040
【図３９】
2011015759.tif 000041
【図４０】
2011015759.tif 000042
【図４１】
2011015759.tif 000043